(57)【要約】【課題】時分割多重伝送装置に異常が発生した場合、ネットワーク内の他装置間のデータ伝送に影響を与えつづけ、システム停止を招く可能性があった。【解決手段】装置内伝送経路を、両隣の時分割多重伝送装置２Ａ〜２Ｂのうちの他方の時分割多重伝送装置に対向する外線入出力部５Ｂの送信部５２ｂから、前記両隣の時分割多重伝送装置のうちの一方の時分割多重伝送装置に対向する外線入出力部５Ａの送信部５２ａへ切替て送信を継続し、又、この切替送信を継続している状態における前記時分割多重伝送装置内の伝送に係る異常を検出する機能５４ａを設け、この異常検出機能により継続的異常が検出されると、前記伝送経路を切り替えて送信中の時分割多重伝送装置を前記伝送路から切り離す時分割多重伝送システム及び装置【選択図】　　　　図２
2004064351.tif 000002
【特許請求の範囲】
【請求項１】
複数の時分割多重伝送装置を伝送路によってル−プ接続し各時分割多重伝送装置間でデ−タをル−プ伝送する時分割多重伝送システムにおいて、前記各時分割多重伝送装置を、それぞれ外部からデ−タを受信する受信部と外部へデ−タを送信する送信部とを有した対を成なす外線入出力部で構成され、両隣の時分割多重伝送装置のうちの一方の時分割多重伝送装置に対向する外線入出力部の受信部から受信したデ−タを、両隣の時分割多重伝送装置のうちの他方の時分割多重伝送装置に対向する外線入出力部の送信部から送信する中継機能を有した時分割多重伝送装置とし、前記対を成なす外線入出力部のうちの一方の外線入出力部の受信部から前記対を成なす外線入出力部のうちの他方の外線入出力部の送信部へのデ−タの伝送に係る異常を検出する機能を設け、この異常検出機能により継続的異常が検出されると、前記対を成なす外線入出力部のうちの一方の外線入出力部の受信部から前記対を成なす外線入出力部のうちの他方の外線入出力部の送信部へのデ−タの伝送経路を、前記両隣の時分割多重伝送装置のうちの他方の時分割多重伝送装置に対向する外線入出力部の送信部から、前記両隣の時分割多重伝送装置のうちの一方の時分割多重伝送装置に対向する外線入出力部の送信部へ切替て送信を継続する時分割多重伝送システム。
【請求項２】
請求項１に記載の時分割多重伝送システムにおいて、前記伝送経路を、前記両隣の時分割多重伝送装置のうちの他方の時分割多重伝送装置に対向する外線入出力部の送信部から、前記両隣の時分割多重伝送装置のうちの一方の時分割多重伝送装置に対向する外線入出力部の送信部へ切替て送信を継続している状態における前記時分割多重伝送装置内の伝送に係る異常を検出する機能を設け、この異常検出機能により継続的異常が検出されると、前記伝送経路を切り替えて送信中の時分割多重伝送装置を前記伝送路から切り離すことを特徴とする時分割多重伝送システム。
【請求項３】
請求項２に記載の時分割多重伝送システムにおいて、時分割多重伝送装置が前記伝送路から切り離されると、当該時分割多重伝送装置の両隣の各時分割多重伝送装置の内部伝送路を切替え、前記両隣の時分割多重伝送装置の何れも、前記切り離された自時分割多重伝送装置と反対側の相隣る時分割多重伝送装置とデ−タの送受を行うことを特徴とする時分割多重伝送システム。
【請求項４】
複数の時分割多重伝送装置を伝送路によってル−プ接続し各時分割多重伝送装置間でデ−タをル−プ状に伝送する時分割多重伝送システムにおいて、前記各時分割多重伝送装置を、それぞれ外部からデ−タを受信する受信部と外部へデ−タを送信する送信部とを有した対を成なす外線入出力部で構成され、相隣る一方の時分割多重伝送装置に対向する外線入出力部の受信部から受信したデ−タを相隣る他方の時分割多重伝送装置に対向する外線入出力部の送信部から送信する中継機能を有した時分割多重伝送装置とし、前記相隣る他方の時分割多重伝送装置から当該他方の時分割多重伝送装置の前記伝送路からの切り離し及び異常の少なくとも一方の情報を得ることにより、自時分割多重伝送装置における送信経路を前記相隣る他方の時分割多重伝送装置に対向する外線入出力部の送信部から前記相隣る一方の時分割多重伝送装置に対向する外線入出力部の送信部へ切替て送信を継続する時分割多重伝送システム。
【請求項５】
請求項１〜４の何れか一に記載の時分割多重伝送システムにおいて、各時分割多重伝送装置が、前記ル−プ伝送路と端末との接続機能を有し、前記各端末と前記各時分割多重伝送装置と前記ル−プ伝送路とによるネットワ−クが構成されていることを特徴とする時分割多重伝送システム。
【請求項６】
請求項１〜５の何れか一に記載の時分割多重伝送システムにおいて、各時分割多重伝送装置の前記異常が、各時分割多重伝送装置内の伝送経路におけるパリティ検定により検出されることを特徴とする時分割多重伝送システム。
【請求項７】
請求項１〜６の何れか一に記載の時分割多重伝送システムにおいて、各時分割多重伝送装置の前記異常が、各時分割多重伝送装置内の伝送に係る実設定デ−タの検定により検出されることを特徴とする時分割多重伝送システム。
【請求項８】
請求項１〜７の何れか一に記載の時分割多重伝送システムにおいて、各時分割多重伝送装置での異常の検定が、受信したデ−タの複数タイムスロット分の各タイムスロットのパリティ値を論理演算して求めたパリティ値を前記受信したデ−タのタイムスロットに多重し、前記他の外部へ送信するデ−タの複数タイムスロット分の各タイムスロットのパリティ値を論理演算して求めたパリティ値と、前記受信したデ−タのタイムスロットに多重したパリティ値との一致性を検定することにより行われることを特徴とする時分割多重伝送システム。
【請求項９】
請求項１〜８の何れか一に記載の時分割多重伝送システムにおいて、各時分割多重伝送装置での異常の検定が、受信したデ−タの各ビット毎に複数タイムスロット分につき論理演算して求めたパリティ値を前記受信したデ−タのタイムスロットに多重し、前記受信したデ−タの各ビット毎に複数タイムスロット分につき論理演算して求めたパリティ値と、前記受信したデ−タのタイムスロットに多重したパリティ値との一致性を検定することにより行われることを特徴とする時分割多重伝送システム。
【請求項１０】
請求項５〜請求項９の何れか一に記載の時分割多重伝送システムにおいて、各時分割多重伝送装置内で、前記受信したデータ及びこの受信したデータに多重する前記端末からの多重データの各パリティ偶奇を比較し、偶奇が異なるごとに、前記受信したデ−タのタイムスロットに多重のパリティ値の偶奇を反転させることを特徴とする時分割多重伝送システム。
【請求項１１】
請求項５〜１０に記載の時分割多重伝送装置において、各時分割多重伝送装置内で、受信したデ−タについて論理演算して求めたパリティ値を前記複数タイムスロット毎に偶奇反転させ、前記他の外部へ送信するデ−タについて論理演算して求めたパリティ値を前記検定前に前記複数タイムスロット毎に偶奇反転させ、前記検定によりパリティエラ−が検出されなかった場合は引き続き前記他の外部へ送信するデ−タについて論理演算して求めたパリティ値を前記検定前に前記複数タイムスロット毎に偶奇反転させ、前記検定によりパリティエラ−が検出された場合は、前記他の外部へ送信するデ−タについて論理演算して求めたパリティ値を、当該パリティエラ−検出時点の偶奇に保持することを特徴とする時分割多重伝送システム。
【請求項１２】
請求項５〜請求項１１の何れか一に記載の時分割多重伝送システムにおいて、各時分割多重伝送装置で、受信したデータと前記端末からの多重デ−タとの多重設定のデ−タの誤りを、デ−タ誤り検定機能により検定することを特徴とする時分割多重伝送システム。
【請求項１３】
請求項６〜請求項１２の何れか一に記載の時分割多重伝送システムにおいて、システム内の周波数偏差によって発生するパリティエラ−の発生周期より、パリティエラ−の発生を監視する期間を短くすることを特徴とする時分割多重伝送システム。
【請求項１４】
請求項５〜請求項１３の何れか一に記載の時分割多重伝送システムにおいて、１フレ−ム中に中継デ−タと多重デ−タとを多重し、前記フレ−ム中の当該中継デ−タ及び多重デ−タの存否によりデ−タ異常を検出することを特徴とする時分割多重伝送システム。
【請求項１５】
請求項５〜請求項１４の何れか一に記載の時分割多重伝送システムにおいて、各時分割多重伝送装置内で、受信したデータと前記端末からの多重デ−タとの多重の実設定内容が、当初の設定内容と不一致となった場合、隣の時分割多重伝送装置への送信を停止することを特徴とする時分割多重伝送システム。
【請求項１６】
請求項１５に記載の時分割多重伝送システムにおいて、各時分割多重伝送装置の前記実設定内容と前記当初の設定内容との照合を、時分割多重伝送装置の装置管理ＣＰＵで行うことを特徴とする時分割多重伝送システム。
【請求項１７】
請求項１５に記載の時分割多重伝送システムにおいて、各時分割多重伝送装置の前記実設定内容と前記当初の設定内容との照合を、システム管理ＣＰＵで行うことを特徴とする時分割多重伝送システム。
【請求項１８】
請求項１７に記載の時分割多重伝送システムにおいて、前記異常検出時の前記各時分割多重伝送装置内の伝送路切替の指令を、前記システム管理ＣＰＵが各時分割多重伝送装置に対して行うことを特徴とする時分割多重伝送システム。
【請求項１９】
外部から受信したデ−タを他の外部へ送信する中継機能を有した時分割多重伝送装置において、前記外部から受信したデ−タの複数タイムスロット分の各タイムスロットのパリティ値を論理演算して求めたパリティ値を前記受信したデ−タのタイムスロットに多重し、前記他の外部へ送信するデ−タの複数タイムスロット分の各タイムスロットのパリティ値を論理演算して求めたパリティ値と、前記受信したデ−タのタイムスロットに多重したパリティ値との一致性を検定する時分割多重伝送装置。
【請求項２０】
外部から受信したデ−タを他の外部へ送信する中継機能を有した時分割多重伝送装置において、前記外部から受信したデ−タの各ビット毎に複数タイムスロット分につき論理演算して求めたパリティ値を前記受信したデ−タのタイムスロットに多重し、前記受信したデ−タの各ビット毎に複数タイムスロット分につき論理演算して求めたパリティ値と、前記受信したデ−タのタイムスロットに多重したパリティ値との一致性を検定する時分割多重伝送装置。
【請求項２１】
請求項１９及び請求項２０の何れかに一に記載の時分割多重伝送装置において、時分割多重伝送装置を、それぞれ外部からデ−タを受信する受信部と外部へデ−タを送信する送信部とを有した対を成なす外線入出力部を有し、一方の外線入出力部の受信部から受信したデ−タを他方の外線入出力部の送信部から他の外部へ送信する中継機能を有した時分割多重伝送装置とし、前記パリティ値との不一致が所定回数継続的に発生した場合、前記他の外部への送信を行う送信部を前記他方の外線入出力部の送信部から前記一方の外線入出力部の送信部へ切替て送信を継続する時分割多重伝送装置。
【請求項２２】
請求項２１に記載の時分割多重伝送装置において、前記不一致が所定回数継続的に発生した場合、当該不一致が所定回数継続的に発生したことを前記一方の外線入出力部に知らせ、各外線入出力部から各々の対向ノ−ドに警報信号を出力することを特徴とする時分割多重伝送装置。
【請求項２３】
請求項１９〜２２の何れか一に記載の時分割多重伝送装置において、前記外部から受信したデータ及びこの受信したデータに多重する多重データの各パリティ偶奇を比較し、偶奇が異なるごとに、前記受信したデ−タのタイムスロットに多重のパリティ値の偶奇を反転させることを特徴とする時分割多重伝送装置。
【請求項２４】
請求項１９〜２２の何れか一に記載の時分割多重伝送装置おいて、前記外部から受信したデータとこの受信したデータに多重する多重デ−タとの多重の実設定内容が、当初の設定内容と不一致となった場合、少なくとも外部への送信を停止することを特徴とする時分割多重伝送装置。
【請求項２５】
請求項１９〜２４に記載の時分割多重伝送装置において、前記外部から受信したデ−タについて論理演算して求めたパリティ値を前記複数タイムスロット毎に偶奇反転させ、前記他の外部へ送信するデ−タについて論理演算して求めたパリティ値を前記検定前に前記複数タイムスロット毎に偶奇反転させ、前記検定によりパリティエラ−が検出されなかった場合は引き続き前記他の外部へ送信するデ−タについて論理演算して求めたパリティ値を前記検定前に前記複数タイムスロット毎に偶奇反転させ、前記検定によりパリティエラ−が検出された場合は、前記他の外部へ送信するデ−タについて論理演算して求めたパリティ値を、当該パリティエラ−検出時点の偶奇に保持することを特徴とする時分割多重伝送装置。
【請求項２６】
請求項１９〜請求項２５の何れか一に記載の時分割多重伝送装置において、受信したデータと前記端末からの多重デ−タとの多重設定のデ−タの誤りを、デ−タ誤り検定機能により検定することを特徴とする時分割多重伝送装置。
【請求項２７】
請求項１９〜請求項２６の何れか一に記載の時分割多重伝送装置において、装置内の周波数偏差によって発生するパリティエラ−の発生周期より、パリティエラ−の発生を監視する期間を短くすることを特徴とする時分割多重伝送装置。
【請求項２８】
請求項１９〜請求項２７の何れか一に記載の時分割多重伝送装置において、１フレ−ム中に継デ−タと多重デ−タとを多重し、前記フレ−ム中の当該継デ−タ及び多重デ−タの存否によりデ−タ異常を検出することを特徴とする時分割多重伝送装置。
【請求項２９】
請求項１９〜請求項２８の何れか一に記載の時分割多重伝送装置において、受信したデータと前記前記端末からの多重デ−タとの多重の実設定内容が、当初の設定内容と不一致となった場合、隣の時分割多重伝送装置への送信を停止することを特徴とする時分割多重伝送装置。
【請求項３０】
請求項２９に記載の時分割多重伝送装置において、前記実設定内容と前記当初の設定内容との照合を、時分割多重伝送装置の装置管理ＣＰＵで行うことを特徴とする時分割多重伝送装置。
【発明の詳細な説明】
【０００１】
【発明の属する技術分野】
この発明は、時分割多重伝送システムおよび時分割多重伝送装置、特にその装置内故障時の故障検出、障害箇所の切り離しに関する。
【０００２】
【従来の技術】
図２４は、例えば特許第２７５７８９８号公報に示された従来の装置内監視装置を示すブロック図である。図２４において、２３１は送信側、２３２は受信側、２３３は送信デ−タ、２３４はパリティ演算回路、２３５はパリティ、２３６は指定パタ−ン、２３７は誤り挿入回路、２３８は多重化回路、２３９は受信デ−タ、２３１０はパリティ演算回路、２３１１はパリティ、２３１２は指定パタ−ン、２３１３は比較回路である。
【０００３】
前記パリティ演算回路２３４は、前記送信データ２３３を入力とし、オクテット単位に前記パリティ２３５を出力する。前記誤り挿入回路２３７は、前記指定パターン２３６を得てこれに対応したパリティ誤りを挿入する。前記多重化回路２３８は、前記送信データ２３３と、前記誤り挿入回路２３７によって誤りが挿入されたパリティを多重化し、送出する。
【０００４】
図２５は、前述の図２４の装置内監視装置の動作を示すタイミングチャートの一例を示す図である。この２次元の図は、マルチフレームを表しており、図面作成の便宜上、時間軸を２行目、３行目、・・・、に折り畳んで示されている。図２５に示されているように、デ−タの伝送路とは別に設けられた専用回線のパリティＰは、データの各チャネルＣＨ１、ＣＨ２、ＣＨ３、・・・毎に付与され、各チャネル毎に指定された周期誤りが挿入される。この、各チャネルＣＨ１、ＣＨ２、ＣＨ３、・・・毎に指定された周期誤りは、図２５の例では、偶数パリティをＥ、奇数パリティをＯとして表し、チャネルＣＨ１は、時間ｔに対して、Ｅ、Ｅ、Ｅ、Ｏの順で示されるパターン、チャネルＣＨ２は、時間ｔに対して、Ｅ、Ｅ、Ｏ、Ｅの順に示されるパターン、一方、チャネルＣＨ３は、時間ｔに対して、Ｅ、Ｅ、Ｏ、Ｏの順で示されるパターンとなっている。
【０００５】
図２４に戻って、前記受信側２３２において、パリティ演算回路２３１０は受信データ２３９からパリティ２３１１を計算し、比較回路２３１３において指定パターン２３１２との一致検出を行なう。この一致検出により、データエラーの有無とチャネル接続の正常性を監視することができる。したがって、前述の従来技術における装置内監視装置とそれを用いた方法によれば、例えば送信側と受信側の間にタイムスロット入れ替え回路や多重分離回路が入った場合でも、パリティＰの専用回線を用意するだけで、各チャネル接続の正常性を確認する手段を与えることが可能になる。
【０００６】
【発明が解決しようとする課題】
従来の装置内監視方式及び装置は、以上のように構成されているので、オクテット単位に１ビットのパリティを設け、データの伝送パスとは別にパリティの専用回線を設けなければならず、回路規模が大きくなるという問題があった。また、異常検出時の処置については言及されておらず、故障を内在した装置がネットワークに存在しつづけることにより、ネットワーク内の他装置間のデータ伝送に影響を与えつづけ、システム停止を招く可能性があった。
【０００７】
この発明は前述のような従来の実情に鑑みてなされたものであり、装置内故障に対し、信頼性の高い時分割多重伝送システム及び時分割多重伝送装置を提供することを目的とする。
【０００８】
【課題を解決するための手段】
請求項１に記載の発明に係る時分割多重伝送システムは、複数の時分割多重伝送装置を伝送路によってル−プ接続し各時分割多重伝送装置間でデ−タをル−プ伝送する時分割多重伝送システムにおいて、前記各時分割多重伝送装置を、それぞれ外部からデ−タを受信する受信部と外部へデ−タを送信する送信部とを有した対を成なす外線入出力部で構成され、両隣の時分割多重伝送装置のうちの一方の時分割多重伝送装置に対向する外線入出力部の受信部から受信したデ−タを、両隣の時分割多重伝送装置のうちの他方の時分割多重伝送装置に対向する外線入出力部の送信部から送信する中継機能を有した時分割多重伝送装置とし、前記対を成なす外線入出力部のうちの一方の外線入出力部の受信部から前記対を成なす外線入出力部のうちの他方の外線入出力部の送信部へのデ−タの伝送に係る異常を検出する機能を設け、この異常検出機能により継続的異常が検出されると、前記対を成なす外線入出力部のうちの一方の外線入出力部の受信部から前記対を成なす外線入出力部のうちの他方の外線入出力部の送信部へのデ−タの伝送経路を、前記両隣の時分割多重伝送装置のうちの他方の時分割多重伝送装置に対向する外線入出力部の送信部から、前記両隣の時分割多重伝送装置のうちの一方の時分割多重伝送装置に対向する外線入出力部の送信部へ切替て送信を継続するものである。
【０００９】
請求項２に記載の発明に係る時分割多重伝送システムは、請求項１に記載の時分割多重伝送システムにおいて、前記伝送経路を、前記両隣の時分割多重伝送装置のうちの他方の時分割多重伝送装置に対向する外線入出力部の送信部から、前記両隣の時分割多重伝送装置のうちの一方の時分割多重伝送装置に対向する外線入出力部の送信部へ切替て送信を継続している状態における前記時分割多重伝送装置内の伝送に係る異常を検出する機能を設け、この異常検出機能により継続的異常が検出されると、前記伝送経路を切り替えて送信中の時分割多重伝送装置を前記伝送路から切り離すものである。
【００１０】
請求項３に記載の発明に係る時分割多重伝送システムは、請求項２に記載の時分割多重伝送システムにおいて、時分割多重伝送装置が前記伝送路から切り離されると、当該時分割多重伝送装置の両隣の各時分割多重伝送装置の内部伝送路を切替え、前記両隣の時分割多重伝送装置の何れも、前記切り離された自時分割多重伝送装置と反対側の相隣る時分割多重伝送装置とデ−タの送受を行うものである。
【００１１】
請求項４に記載の発明に係る時分割多重伝送システムは、複数の時分割多重伝送装置を伝送路によってル−プ接続し各時分割多重伝送装置間でデ−タをル−プ状に伝送する時分割多重伝送システムにおいて、前記各時分割多重伝送装置を、それぞれ外部からデ−タを受信する受信部と外部へデ−タを送信する送信部とを有した対を成なす外線入出力部で構成され、相隣る一方の時分割多重伝送装置に対向する外線入出力部の受信部から受信したデ−タを相隣る他方の時分割多重伝送装置に対向する外線入出力部の送信部から送信する中継機能を有した時分割多重伝送装置とし、前記相隣る他方の時分割多重伝送装置から当該他方の時分割多重伝送装置の前記伝送路からの切り離し及び異常の少なくとも一方の情報を得ることにより、自時分割多重伝送装置における送信経路を前記相隣る他方の時分割多重伝送装置に対向する外線入出力部の送信部から前記相隣る一方の時分割多重伝送装置に対向する外線入出力部の送信部へ切替て送信を継続するものである。
【００１２】
請求項５に記載の発明に係る時分割多重伝送システムは、請求項１〜４の何れか一に記載の時分割多重伝送システムにおいて、各時分割多重伝送装置が、前記ル−プ伝送路と端末との接続機能を有し、前記各端末と前記各時分割多重伝送装置と前記ル−プ伝送路とによるネットワ−クが構成されているものである。
【００１３】
請求項６に記載の発明に係る時分割多重伝送システムは、請求項１〜５の何れか一に記載の時分割多重伝送システムにおいて、各時分割多重伝送装置の前記異常が、各時分割多重伝送装置内の伝送経路におけるパリティ検定により検出されるものである。
【００１４】
請求項７に記載の発明に係る時分割多重伝送システムは、請求項１〜６の何れか一に記載の時分割多重伝送システムにおいて、各時分割多重伝送装置の前記異常が、各時分割多重伝送装置内の伝送に係る実設定デ−タの検定により検出されるものである。
【００１５】
請求項８に記載の発明に係る時分割多重伝送システムは、請求項１〜７の何れか一に記載の時分割多重伝送システムにおいて、各時分割多重伝送装置での異常の検定が、受信したデ−タの複数タイムスロット分の各タイムスロットのパリティ値を論理演算して求めたパリティ値を前記受信したデ−タのタイムスロットに多重し、前記他の外部へ送信するデ−タの複数タイムスロット分の各タイムスロットのパリティ値を論理演算して求めたパリティ値と、前記受信したデ−タのタイムスロットに多重したパリティ値との一致性を検定することにより行われるものである。
【００１６】
請求項９に記載の発明に係る時分割多重伝送システムは、請求項１〜８の何れか一に記載の時分割多重伝送システムにおいて、各時分割多重伝送装置での異常の検定が、受信したデ−タの各ビット毎に複数タイムスロット分につき論理演算して求めたパリティ値を前記受信したデ−タのタイムスロットに多重し、前記受信したデ−タの各ビット毎に複数タイムスロット分につき論理演算して求めたパリティ値と、前記受信したデ−タのタイムスロットに多重したパリティ値との一致性を検定することにより行われるものである。
【００１７】
請求項１０に記載の発明に係る時分割多重伝送システムは、請求項５〜請求項９の何れか一に記載の時分割多重伝送システムにおいて、各時分割多重伝送装置内で、前記受信したデータ及びこの受信したデータに多重する前記端末からの多重データの各パリティ偶奇を比較し、偶奇が異なるごとに、前記受信したデ−タのタイムスロットに多重のパリティ値の偶奇を反転させるものである。
【００１８】
請求項１１に記載の発明に係る時分割多重伝送システムは、請求項５〜１０に記載の時分割多重伝送装置において、各時分割多重伝送装置内で、受信したデ−タについて論理演算して求めたパリティ値を前記複数タイムスロット毎に偶奇反転させ、前記他の外部へ送信するデ−タについて論理演算して求めたパリティ値を前記検定前に前記複数タイムスロット毎に偶奇反転させ、前記検定によりパリティエラ−が検出されなかった場合は引き続き前記他の外部へ送信するデ−タについて論理演算して求めたパリティ値を前記検定前に前記複数タイムスロット毎に偶奇反転させ、前記検定によりパリティエラ−が検出された場合は、前記他の外部へ送信するデ−タについて論理演算して求めたパリティ値を、当該パリティエラ−検出時点の偶奇に保持するものである。
【００１９】
請求項１２に記載の発明に係る時分割多重伝送システムは、請求項５〜請求項１１の何れか一に記載の時分割多重伝送システムにおいて、各時分割多重伝送装置で、受信したデータと前記端末からの多重デ−タとの多重設定のデ−タの誤りを、デ−タ誤り検定機能により検定するものである。
【００２０】
請求項１３に記載の発明に係る時分割多重伝送システムは、請求項６〜請求項１２の何れか一に記載の時分割多重伝送システムにおいて、システム内の周波数偏差によって発生するパリティエラ−の発生周期より、パリティエラ−の発生を監視する期間を短くするものである。
【００２１】
請求項１４に記載の発明に係る時分割多重伝送システムは、請求項５〜請求項１３の何れか一に記載の時分割多重伝送システムにおいて、１フレ−ム中に中継デ−タと多重デ−タとを多重し、前記フレ−ム中の当該中継デ−タ及び多重デ−タの存否によりデ−タ異常を検出するものである。
【００２２】
請求項１５に記載の発明に係る時分割多重伝送システムは、請求項５〜請求項１４の何れか一に記載の時分割多重伝送システムにおいて、各時分割多重伝送装置内で、受信したデータと前記端末からの多重デ−タとの多重の実設定内容が、当初の設定内容と不一致となった場合、隣の時分割多重伝送装置への送信を停止するものである。
【００２３】
請求項１６に記載の発明に係る時分割多重伝送システムは、請求項１５に記載の時分割多重伝送システムにおいて、各時分割多重伝送装置の前記実設定内容と前記当初の設定内容との照合を、時分割多重伝送装置の装置管理ＣＰＵで行うものである。ことを特徴とする時分割多重伝送システム。
【００２４】
請求項１７に記載の発明に係る時分割多重伝送システムは、請求項１５に記載の時分割多重伝送システムにおいて、各時分割多重伝送装置の前記実設定内容と前記当初の設定内容との照合を、システム管理ＣＰＵで行うものである。
【００２５】
請求項１８に記載の発明に係る時分割多重伝送システムは、請求項１７に記載の時分割多重伝送システムにおいて、前記異常検出時の前記各時分割多重伝送装置内の伝送路切替の指令を、前記システム管理ＣＰＵが各時分割多重伝送装置に対して行うものである。
【００２６】
請求項１９に記載の発明に係る時分割多重伝送装置は、外部から受信したデ−タを他の外部へ送信する中継機能を有した時分割多重伝送装置において、前記外部から受信したデ−タの複数タイムスロット分の各タイムスロットのパリティ値を論理演算して求めたパリティ値を前記受信したデ−タのタイムスロットに多重し、前記他の外部へ送信するデ−タの複数タイムスロット分の各タイムスロットのパリティ値を論理演算して求めたパリティ値と、前記受信したデ−タのタイムスロットに多重したパリティ値との一致性を検定するものである。
【００２７】
請求項２０に記載の発明に係る時分割多重伝送装置は、外部から受信したデ−タを他の外部へ送信する中継機能を有した時分割多重伝送装置において、前記外部から受信したデ−タの各ビット毎に複数タイムスロット分につき論理演算して求めたパリティ値を前記受信したデ−タのタイムスロットに多重し、前記受信したデ−タの各ビット毎に複数タイムスロット分につき論理演算して求めたパリティ値と、前記受信したデ−タのタイムスロットに多重したパリティ値との一致性を検定するものである。
【００２８】
請求項２１に記載の発明に係る時分割多重伝送装置は、請求項１９及び請求項２０の何れかに一に記載の時分割多重伝送装置において、時分割多重伝送装置を、それぞれ外部からデ−タを受信する受信部と外部へデ−タを送信する送信部とを有した対を成なす外線入出力部を有し、一方の外線入出力部の受信部から受信したデ−タを他方の外線入出力部の送信部から他の外部へ送信する中継機能を有した時分割多重伝送装置とし、前記パリティ値との不一致が所定回数継続的に発生した場合、前記他の外部への送信を行う送信部を前記他方の外線入出力部の送信部から前記一方の外線入出力部の送信部へ切替て送信を継続するものである。
【００２９】
請求項２２に記載の発明に係る時分割多重伝送装置は、請求項２１に記載の時分割多重伝送装置において、前記不一致が所定回数継続的に発生した場合、当該不一致が所定回数継続的に発生したことを前記一方の外線入出力部に知らせ、各外線入出力部から各々の対向ノ−ドに警報信号を出力するものである。
【００３０】
請求項２３に記載の発明に係る時分割多重伝送装置は、請求項１９〜２２の何れか一に記載の時分割多重伝送装置において、前記外部から受信したデータ及びこの受信したデータに多重する多重データの各パリティ偶奇を比較し、偶奇が異なるごとに、前記受信したデ−タのタイムスロットに多重のパリティ値の偶奇を反転させるものである。
【００３１】
請求項２４に記載の発明に係る時分割多重伝送装置は、請求項１９〜２２の何れか一に記載の時分割多重伝送装置おいて、前記外部から受信したデータとこの受信したデータに多重する多重デ−タとの多重の実設定内容が、当初の設定内容と不一致となった場合、少なくとも外部への送信を停止するものである。
【００３２】
請求項２５に記載の発明に係る時分割多重伝送装置は、請求項１９〜２４に記載の時分割多重伝送装置において、前記外部から受信したデ−タについて論理演算して求めたパリティ値を前記複数タイムスロット毎に偶奇反転させ、前記他の外部へ送信するデ−タについて論理演算して求めたパリティ値を前記検定前に前記複数タイムスロット毎に偶奇反転させ、前記検定によりパリティエラ−が検出されなかった場合は引き続き前記他の外部へ送信するデ−タについて論理演算して求めたパリティ値を前記検定前に前記複数タイムスロット毎に偶奇反転させ、前記検定によりパリティエラ−が検出された場合は、前記他の外部へ送信するデ−タについて論理演算して求めたパリティ値を、当該パリティエラ−検出時点の偶奇に保持するものである。
【００３３】
請求項２６に記載の発明に係る時分割多重伝送装置は、請求項１９〜請求項２５の何れか一に記載の時分割多重伝送装置において、受信したデータと前記端末からの多重デ−タとの多重設定のデ−タの誤りを、デ−タ誤り検定機能により検定するものである。
【００３４】
請求項２７に記載の発明に係る時分割多重伝送装置は、請求項１９〜請求項２６の何れか一に記載の時分割多重伝送装置において、装置内の周波数偏差によって発生するパリティエラ−の発生周期より、パリティエラ−の発生を監視する期間を短くするものである。
【００３５】
請求項２８に記載の発明に係る時分割多重伝送装置は、請求項１９〜請求項２７の何れか一に記載の時分割多重伝送装置において、１フレ−ム中に継デ−タと多重デ−タとを多重し、前記フレ−ム中の当該継デ−タ及び多重デ−タの存否によりデ−タ異常を検出するものである。
【００３６】
請求項２９に記載の発明に係る時分割多重伝送装置は、請求項１９〜請求項２８の何れか一に記載の時分割多重伝送装置において、受信したデータと前記前記端末からの多重デ−タとの多重の実設定内容が、当初の設定内容と不一致となった場合、隣の時分割多重伝送装置への送信を停止するものである。
【００３７】
請求項３０に記載の発明に係る時分割多重伝送装置は、請求項２９に記載の時分割多重伝送装置において、前記実設定内容と前記当初の設定内容との照合を、時分割多重伝送装置の装置管理ＣＰＵで行うものである。
【００３８】
【発明の実施の形態】
実施の形態１．
以下、この発明の実施の形態１を図１〜図５に基づいて説明する。図１は時分割多重伝送システムの一例を示すシステム構成図、図２は図１における時分割多重伝送装置の詳細な構成の一例を示すブロック図、図３は図２におけるパリティ生成部の詳細な構成の一例を示すブロック図、図４は図２におけるパリティ検定部の詳細な構成の一例を示すブロック図、図５は図２における受信デ−タのフレ−ム構成の一例を示す図である。
【００３９】
時分割多重伝送システムの一例を示す図１において、１は光ファイバで接続された通信データのル−プ伝送路、２Ａ〜２Ｄは複数の通信回線データを時分割多重方式で伝送する時分割多重伝送装置であり、この時分割多重伝送装置は伝送路１によりループ接続されている。３Ａ〜３Ｇは後述の端末４Ａ〜４Ｇを通信回線で接続して構成した通信網である。４Ａ〜４Ｇは端末で、アナログ端末またはデジタル端末である。ＳＭＣはシステム全体を監視、維持するシステム管理用ＣＰＵである。なお、前記複数の時分割多重伝送装置を示す符号２Ａ〜２Ｄにおいて、２は時分割多重伝送装置を意味する符号である。同様に符号３Ａ〜３Ｇにおける３は通信回線を、符号４Ａ〜４Ｇにおける４は端末を意味する符号である。
【００４０】
図１における前記時分割多重伝送装置２の詳細な構成の一例を示す図２において、５ＡはＡ系外線入出力部で伝送路１からの時分割多重データを受信する受信部５１ａと、データを送信する送信部５２ａと、前記受信部５１ａが受信したデータのパリティを計算するパリティ生成部５３ａと、後述の中継／分離部６からの時分割多重データのパリティをチェックするパリティ検定部５４ａと、このパリティ検定部５４ａでの検定結果がパリティ異常の場合に警報を前記送信部５２ａへ送信する警報出力部５５ａとから構成されている。
【００４１】
５ＢはＢ系外線入出力部で伝送路１からの時分割多重データを受信する受信部５１ｂと、データを送信する送信部５２ｂと、前記受信部５１ｂが受信したデータのパリティを計算するパリティ生成部５３ｂと、後述の中継／分離部６からの時分割多重データのパリティをチェックするパリティ検定部５４ｂと、このパリティ検定部５４ｂでの検定結果がパリティ異常の場合に警報を前記送信部５２ｂへ送信する警報出力部５５ｂとから構成されている。
【００４２】
６はデ−タ中継／分離部で、前記外線入出力部５Ａからのデータを後述の端末インタフェース部７へ分離するデータ分離部６１と、前記外線入出力部５Ｂへ中継するデータ中継部６２とから構成されている。７は前記デ−タ中継／分離部６からのデータを通信回線３に接続される端末４のフォーマットに変換する端末インタフェース部である。
【００４３】
なお、前記Ａ系外線入出力部を示す符号５Ａ及び前記Ｂ系外線入出力部を示す符号５Ｂにおいて、符号５は外線入出力部を意味する符号である。同様に、符号５１ａ，５１ｂにおける５１は受信部を、符号５２ａ，５２ｂにおける５２は送信部を、符号５３ａ，５３ｂにおける５３はパリティ生成部を、符号５４ａ，５４ｂにおける５４はパリティ検定部を、符号５５ａ，５５ｂにおける５５は警報出力部を、夫々意味する符号である。
【００４４】
図２における前記パリティ生成部５３の詳細な構成の一例を示す図３において、５３１は受信部５１からの受信データのパリティを計算するパリティ演算部、５３２はパリティ演算部５３１からのデータとフリップフロップ５３３からのデータの排他的論理和、５３３は排他的論理和５３２の計算結果を保持するフリップフロップ、５３４は受信データとパリティデータを選択するセレクタである。
【００４５】
図２における前記パリティ検定部５４の詳細な構成の一例を示す図４において、５４１は前記デ−タ中継／分離部６から受け取った送信データのパリティを計算するパリティ演算部、５４２はこのパリティ演算部５４１からのデータとフリップフリップからのデータの排他的論理和を計算し、５４３は排他的論理和５４２の結果を保持するフリップフロップ、５４４は送信データとフリップフロップ５４３の計算結果の比較回路である。
【００４６】
図５は、図２における受信部５１から受信したデータのフレーム構成の一例を示しており、図示のように、デ−タ部はタイムスロット０，１，２，・・Ｎ−１，Ｎで構成され、各タイムスロット０，１，２，・・Ｎ−１，Ｎは８ビットＤ０，Ｄ１，Ｄ２，Ｄ３，Ｄ４，Ｄ５，Ｄ６，Ｄ７で構成されている。また、パリティの付加は、最終スロットＮのビットＤ０にパリティ値を多重してある。
【００４７】
次に動作について説明する。　時分割多重伝送装置２は伝送路１からデータを受信する。伝送路１から受信部５１ａにより受け取った受信データを、パリティ生成部５３ａにて取り込み、１フレーム分のデータを、パリティ演算部５３１にて８ビット単位のパリティ演算を行い、得られたパリティビットを排他的論理和５３２にて繰り返し計算することにより、１フレーム分（全タイムスロット０，１，２，・・Ｎ−１，Ｎ分）のデータのパリティ値を得る。この得られた１ビットのパリティ値を、セレクタ５３４によりフレームの所定のタイムスロットの所定のビットに多重し、デ−タ中継／分離部６にデータを渡す。なお、前記セレクタ５３４による１ビットのパリティ値は、どのタイムスロットのどのビットに多重してもよいが、セレクタ５３４への指令或いは設定により決まり、図５ではタイムスロットＮのＤ０ビットに多重した例を挙げてある。
【００４８】
デ−タ中継／分離部６では、外線入出力部５Ａより受け取ったデータをデータ分離部６１にて選択して端末インタフェース部７に渡すとともに、データ中継部６２にてデータを中継して外線入出力部５Ｂに渡す。端末インタフェース部７では、デ−タ中継／分離部６により分離されたデータを端末４に合わせてデータフォーマットを変換し、この変換したデ−タを、通信回線３を通して端末４に渡す。
【００４９】
一方、外線入出力部５Ｂは中継／分離部６より受け取った送信データを、パリティ検定部５４ｂにて取り込み、１フレーム分のデータを、パリティ演算部５４１にて８ビット単位のパリティ演算を行い、得られたパリティビットを排他的論理和５４２にて繰り返し計算することにより、１フレーム分（全タイムスロット分）のデータのパリティ値を得る。この再計算したパリティ値と、前述のパリティ生成部５３ａで多重したパリティ値とを比較回路５４４にて一致しているかどうか検定する。検定した結果、一定時間内に１回でも不一致が検出され、これが一定回数継続したときには、永久故障と判断し、警報出力部５５ｂにより送信部５２ｂを通して対向ノード（伝送路１を介して接続されている他の多重化伝送装置）の外線入出力部に対して警報信号を出力すると共に、自装置内で系選択回路部８によりループバック制御をかけて、当該外線入出力部５２ｂをネットワークより切り離し、デ−タ中継／分離部６のデ−タ中継部６２の出力をＡ系入出力部５Ａの送信部５２ａに切り替えて当該送信部５２ａに渡す。
【００５０】
更に、Ａ系外線入出力部５Ａにてループバック運転を継続し、パリティ検定部５４ａにて、デ−タ中継／分離部６のデ−タ中継部６２から受け取った送信データのパリティ検定を行い、警報出力部５５ａにおいても永久故障と判断した場合は、送信部５２ａを通して対向ノードの外線入出力部に警報信号を出力し、ループバック制御をかけ、当該外線入出力部５２ａをネットワークより切り離し、結果として当該時分割多重伝送装置２をネットワークから切り離す。
【００５１】
なお、前記永久故障の判断については、例えば、１秒間に８０００フレ−ムのデ−タ伝送を行っている場合、１秒間に１回の前記比較回路５４４での不一致が、例えば３０秒間継続した場合、永久故障と判断する。
【００５２】
また、前記永久故障などの異常検出時における各時分割多重伝送装置２Ａ，２Ｂ，２Ｃ，２Ｄ内の伝送切替は、各時分割多重伝装置内で実行するようにしても良く、システム管理ＣＰＵからの指令により実行するようにしても良い。
【００５３】
以上のように、この発明の実施の形態１は、外線入出力部５Ａ，５Ｂの受信部で受信したデータの１フレーム分に対して８ビット単位のパリティ演算を行い、得られたパリティビットを排他的論理和を繰り返すことにより得られた１ビットのパリティビットをフレームの任意の１ビットに多重し、データ分離／中継部ではパリティビットを多重した１フレーム分のデータを透過的に中継し、外線入出力部の送信部の前段で１フレーム分のデータのパリティ検定を行い、送信データの誤りを検査し、送信データの誤りが一定時間内に１回でも検出され、これが一定回数継続したことをもって永久故障と判断した外線入出力部は、対向ノードの外線入出力部に対して警報信号を出力してループバックさせて当該外線入出力部をネットワークから切り離し、他系外線入出力部でループバック運転を継続し、同様のパリティ生成とパリティ検定を行い、永久故障と判断した外線入出力部は、対向ノードの外線入出力部に対して警報信号を出力してループバックさせ、当該時分割多重伝送装置をネットワークから切り離すものである。
【００５４】
また、この発明の実施の形態１は、観点を変えれば、複数の時分割多重伝送装置２Ａ〜２Ｄを伝送路１によってル−プ接続し各時分割多重伝送装置２Ａ〜２Ｄ間でデ−タをル−プ伝送する時分割多重伝送システムにおいて、前記各時分割多重伝送装置を、それぞれ外部からデ−タを受信する受信部５１ａ，５１ｂと外部へデ−タを送信する送信部５２ａ，５２ｂとを有した対を成なす外線入出力部５Ａ，５Ｂで構成され、両隣の時分割多重伝送装置のうちの一方の時分割多重伝送装置に対向する外線入出力部の受信部から受信したデ−タを、両隣の時分割多重伝送装置のうちの他方の時分割多重伝送装置に対向する外線入出力部の送信部から送信する中継機能を有した時分割多重伝送装置とし、前記対を成なす外線入出力部のうちの一方の外線入出力部の受信部から前記対を成なす外線入出力部のうちの他方の外線入出力部の送信部へのデ−タの伝送に係る異常を検出する機能を設け、この異常検出機能５３ａ，５４ｂにより継続的異常が検出されると、前記対を成なす外線入出力部のうちの一方の外線入出力部の受信部から前記対を成なす外線入出力部のうちの他方の外線入出力部の送信部へのデ−タの伝送経路を、前記両隣の時分割多重伝送装置のうちの他方の時分割多重伝送装置に対向する外線入出力部の送信部から、前記両隣の時分割多重伝送装置のうちの一方の時分割多重伝送装置に対向する外線入出力部の送信部へ切替て送信を継続する時分割多重伝送システム、或いは装置である。
【００５５】
また、この発明の実施の形態１は、観点を変えれば、前記時分割多重伝送装置内の伝送経路を、前記両隣の時分割多重伝送装置のうちの他方の時分割多重伝送装置に対向する外線入出力部の送信部から、前記両隣の時分割多重伝送装置のうちの一方の時分割多重伝送装置に対向する外線入出力部の送信部へ切替て送信を継続している状態における前記時分割多重伝送装置内の伝送に係る異常を検出する機能５４ａを設け、この異常検出機能により継続的異常が検出されると、前記伝送経路を切り替えて送信中の時分割多重伝送装置を前記ル−プ伝送路１から切り離す時分割多重伝送システム、或いは装置である。
【００５６】
また、この発明の実施の形態１は、観点を変えれば、時分割多重伝送装置が前記伝送路１から切り離されると、当該時分割多重伝送装置の両隣の各時分割多重伝送装置の内部伝送路を切替え、前記両隣の時分割多重伝送装置の何れも、前記切り離された自時分割多重伝送装置と反対側の相隣る時分割多重伝送装置とデ−タの送受を行う時分割多重伝送システム、或いは装置である。
【００５７】
また、この発明の実施の形態１は、観点を変えれば、複数の時分割多重伝送装置２Ａ〜２Ｄを伝送路１によってル−プ接続し各時分割多重伝送装置２Ａ〜２Ｄ間でデ−タをル−プ状に伝送する時分割多重伝送システムにおいて、前記各時分割多重伝送装置を、それぞれ外部からデ−タを受信する受信部５１ａ，５１ｂと外部へデ−タを送信する送信部５２ａ，５２ｂとを有した対を成なす外線入出力部で構成され、相隣る一方の時分割多重伝送装置に対向する外線入出力部の受信部から受信したデ−タを相隣る他方の時分割多重伝送装置に対向する外線入出力部の送信部から送信する中継機能を有した時分割多重伝送装置とし、前記相隣る他方の時分割多重伝送装置から当該他方の時分割多重伝送装置の前記伝送路からの切り離し及び異常の少なくとも一方の情報を得ることにより、自時分割多重伝送装置における送信経路を前記相隣る他方の時分割多重伝送装置に対向する外線入出力部の送信部から前記相隣る一方の時分割多重伝送装置に対向する外線入出力部の送信部へ切替て送信を継続する時分割多重伝送システム、或いは装置である。
【００５８】
また、この発明の実施の形態１は、観点を変えれば、各時分割多重伝送装置２Ａ〜２Ｄが、前記ル−プ伝送路１と端末４，４Ａ〜４Ｇとの接続機能を有し、前記各端末４，４Ａ〜４Ｇと前記各時分割多重伝送装置２Ａ〜２Ｄと前記ル−プ伝送路１とによるネットワ−クが構成されている時分割多重伝送システム、或いは装置である。
【００５９】
また、この発明の実施の形態１は、観点を変えれば、各時分割多重伝送装置２Ａ〜２Ｄの前記異常が、各時分割多重伝送装置２Ａ〜２Ｄ内の伝送経路におけるパリティ検定により検出される時分割多重伝送システム、或いは装置である。
【００６０】
以上のように、この発明の実施の形態１によれば、１フレームの全データに対して１ビットのパリティを計算し、フレームデータの最終タイムスロットに書き込む機能を備えたものとしたので、従来必要であったパリティ用のメモリを備える必要がなく、またパリティ異常検出時に当該時分割多重伝送装置の伝送パスにおける故障部位をネットワークから切り離すので、システム上の他の時分割多重伝送装置間のデ−タ伝送への影響波及やシステム停止を招く可能性がなく、また、前記故障部位のネットワークからの切り離しを、Ｈ／Ｗで処理する機能を備えているので、Ｓ／Ｗで処理する場合に必要なＣＰＵ回路が必要ではなく、その結果、前述の故障検出を安価な時分割多重伝送装置で実現することができる。
【００６１】
実施の形態２．
前述のこの発明の実施の形態１では、例えばデータ中継部６２が故障した場合に、先ずＢ系外線入出力部５Ｂがパリティ異常で切り離され、続いてＡ系外線入出力部５Ａがパリティ異常を検出して切り離されることにより、当該時分割多重伝送装置２をネットワークから切り離す方式であるが、この発明の実施の形態２は、時分割多重伝送装置２をネットワークから切り離す時間を、前述のこの発明の実施の形態１の場合より短縮できるようにしたものである。
【００６２】
図６は、この発明の実施の形態２一例を示すブロック図で、この図６は、警報出力部５５ａ、５５ｂ間に、自装置２内の他系外線入出力部の警報出力部に警報指示を出す他系警報指示パス９を備けたものである。他の部分については図２と同じであるので、その説明は省略する。
【００６３】
次に動作について説明する。
Ｂ系外線入出力部５Ｂのパリティ検定部５４ｂにて、永久故障と判断したとき、前述の図２の動作説明で説明したように、警報出力部５５ｂにより送信部５２ｂを通して対向ノードの時分割多重伝送装置の外線入出力部に警報信号を出力し、ループバック制御をかけて、当該Ｂ系外線入出力部５２ｂをネットワークより切り離すとともに、外線入出力部５２ｂでは他系警報指示パス９を通して、Ａ系外線入出力部５Ａの警報出力部５５ａに対しても警報出力を指示し、装置２内の他系（Ａ系）外線入力部５ａに対向する時分割多重伝送装置（図示せず）の外線入出力部に対して警報信号を出力してループバックさせるように指示し、当該時分割多重伝送装置２をネットワークから切り離す。
【００６４】
以上のように、この発明の実施の形態２は、永久故障と判断した外線入出力部５Ｂは、対向ノードの外線入出力部に対して警報信号を出力してループバックさせるとともに、他系外線入出力部５Ａに対して対向ノードの外線入出力部に対して警報信号を出力してループバックさせるよう指示し、当該時分割多重伝送装置をネットワークから切り離す時分割多重伝送システム、或いは装置である。
【００６５】
また、この発明の実施の形態２は、観点を変えれば、前記パリティ不一致が所定回数継続的に発生した場合、当該不一致が所定回数継続的に発生したことを前記一方の外線入出力部に知らせ、各外線入出力部から各々の対向ノ−ドに警報信号を出力する時分割多重伝送システム、或いは装置である。
【００６６】
以上のように、この発明の実施の形態２によれば、装置２内に他系警報指示パス８を用いることにより、例えばデータ中継部が故障した場合に、ＡＢどちらかの系の外線入出力部５Ａ又は５Ｂでパリティ異常を検出したときに、すぐに当該時分割多重伝送装置２をネットワークから切り離すことができ、前述のこの発明の実施の形態１に比べてネットワークを正常運転状態に速やかに復旧させことができる。
【００６７】
実施の形態３．
前述のこの発明の形態１及び２では、データを中継する場合について述べたが、この発明の形態３では、デ−タ中継部６２の出力デ−タに、他のデ−タ（自装置２対応の端末４からの送信デ−タ）を多重する場合の方式について例示する。この発明の形態３は、デ−タ中継部６２で中継するデータ（デ−タ中継部６２の出力デ−タ）（以下中継デ−タと記す）と多重するデータ（自装置２対応の端末４からの送信デ−タ）（以下多重デ−タと記す）の各パリティ値の偶奇を比較し、偶奇が異なるごとに、フレームに多重されたパリティビットのパリティ値の偶奇を反転させるようにしたものである。
【００６８】
以下、この発明の形態３の一例を図７及び図８に基づいて具体的に説明する。図７は時分割多重装置のブロック図、図８は図７におけるパリティ再計算部６４のブロック図である。図７において、前記中継データと前記多重データとをタイムスロット毎に切替えるセレクタ部６２と、パリティ再計算部６４と、タイムスロット毎に多重するか中継するかを指示する多重メモリアドレス変換部６５とが、図６に対して追加されている。なお、前記中継データと前記多重データとをタイムスロット毎に切替えるセレクタ部６２と、パリティ再計算部６４と、タイムスロット毎に多重するか中継するかを指示する多重メモリアドレス変換部６５とを図２に対して追加しても同じ機能を呈す。
【００６９】
パリティ再計算部６４の内部構成を例示する図８において、６４１は中継データのパリティを計算するパリティ計算部、６４２は多重データのパリティを計算するパリティ計算部、６４３は中継データのパリティと多重データのパリティを比較する排他的論理和、６４４は偶奇が異なるごとにパリティビットの偶奇を反転させるための排他的論理和、６４５は中継時に前値保持、多重時に前記排他的論理和６４４の出力を選択する中継／多重セレクタ、６４６はこの中継／多重セレクタ６４５の出力をラッチするためのフリップフロップ、６４７はパリティ計算の結果フレームごとに付加されているパリティ６４８を偶奇反転するための排他的論理和、６４９が再計算後のパリティである。
【００７０】
次に、この発明の実施の形態３の動作説明を行う。タイムスロットごとに、パリティ計算部６４１において中継データのパリティ計算を、パリティ計算部６４２において多重データのパリティ計算を、それぞれ行い、排他的論理和６４３においてそれぞれのパリティの偶奇を比較する。そのタイムスロットが多重時には偶奇の比較結果により偶奇が異なるごとに反転し、中継時には前タイムスロットまでの偶奇をラッチする。それを全タイムスロット行い１フレーム分計算する。そしてフレームごとに付加されているパリティ６４８を１フレーム分の計算結果に基づいて排他的論理和６４７にて反転させ出力６４９する。パリティ検定、ル−プバックについては、前述のこの発明の実施の形態１及び２と同じであるので、説明は省略する。
【００７１】
以上のように、この発明の実施の形態３は、データ分離／中継／多重部では受信したデータと多重するデータのパリティ偶奇を比較し、偶奇が異なるごとにフレームに多重されたパリティビットの偶奇を反転させる時分割多重伝送システム、或いは装置である。
【００７２】
また、この発明の実施の形態３は、観点を変えれば、各時分割多重伝送装置２Ａ〜２Ｄ内で、前記受信したデータ及びこの受信したデータに多重する前記端末４，４Ａ〜４Ｇからの多重データの各パリティ偶奇を比較し、偶奇が異なるごとに、前記受信したデ−タのタイムスロットに多重のパリティ値の偶奇を反転させる時分割多重伝送システム、或いは装置である
【００７３】
前述のこの発明の実施の形態３によれば、中継デ−タに端末４，４Ａ〜４Ｇからのデータの多重が行なわれる場合も、前述のこの発明の実施の形態１及び２と同様に、自装置内故障検出と障害部位の切り離しが可能となり、信頼性の高い装置を低コストで実現できる。
【００７４】
実施の形態４．
前述のこの発明の実施の形態１〜３では、０固定故障（デ−タが０に固定されてしまう故障）、１固定故障（デ−タが１に固定されてしまう故障）の場合には、パリティ演算値及びフレームの多重されたパリティ値が固定値となり、パリティ演算値とフレームに多重されたパリティ値が同じ値となって、パリティ異常が検出されず、故障を見逃す恐れがある。この発明の実施の形態４は、前記０固定故障、１固定故障をも検出できるようにするものである。
【００７５】
この発明の実施の形態４は、図２、図６、及び図７におけるパリティ生成部５３に代えて図９のパリティ生成部５３を使用し、パリティ検定部５４に代えて図１０のパリティ検定部５４を使用するものである。図９はこの発明の実施の形態４におけるパリティ生成部の一例を示してあり、前述の図３のパリティ生成部５３に、偶奇反転部５３５を付加したものであり、他については図３と同じであるので説明は省略する。また、図１０は、この発明の実施の形態４におけるパリティ検定部の一例を示してあり、前述の図４のパリティ検定部５４に、偶奇反転部５４５を付加したものであり、他については図４と同じであるので説明は省略する。
【００７６】
次に動作について説明する。
パリティ生成部５３のフリップフロップ５３３にて、１フレーム分のデータパリティビットを保持した後、その後段の、１フレーム毎に値が０／１交番する偶奇反転部５３５により、フリップフロップ５３３の出力であるパリティビットの偶奇を反転させ、この偶奇反転したパリティをフレームに多重する。これにより、データ部が前記０固定故障の場合、前記１固定故障の場合、であってもフレームに多重されたパリティの値が固定値になることはない。
【００７７】
一方、パリティ検定部５４でも、フリップフロップ５４３にて、１フレーム分のデータパリティビットを保持した後、その後段の、１フレーム毎に値が０／１交番する偶奇反転部５４５により、フリップフロップ５３３の出力であるパリティビットの偶奇を反転させ、この偶奇反転したパリティ値を、フレームに多重されたパリティビット値とを比較する。このとき、パリティエラーを検出しなければ、次フレームに対するパリティ検定の偶奇を現フレームに対するものとは反転させ、パリティエラーを検出したらパリティ検定の際の偶奇を次フレームに対して保持する。
【００７８】
以上のように、この発明の実施の形態４は、外線入出力部の受信部で受信したデータの１フレーム分に対して１ビットのパリティ演算を行い、１フレーム毎にパリティの偶奇を反転させ、外線入出力部の送信部の前段で１フレーム分のデータのパリティ検定を行う、パリティエラーを検出しなかったら次フレームに対するパリティ検定の偶奇を現フレームに対するものとは反転させ、パリティエラーを検出したらパリティ検定の際の偶奇を次フレームに対して保持する時分割多重伝送システム、或いは装置である。
【００７９】
また、この発明の実施の形態４は、観点を変えれば、各時分割多重伝送装置２Ａ〜２Ｄ内で、受信したデ−タについて論理演算して求めたパリティ値を前記複数タイムスロット毎に偶奇反転させ、前記他の外部へ送信するデ−タについて論理演算して求めたパリティ値を前記検定前に前記複数タイムスロット毎に偶奇反転させ、前記検定によりパリティエラ−が検出されなかった場合は引き続き前記他の外部へ送信するデ−タについて論理演算して求めたパリティ値を前記検定前に前記複数タイムスロット毎に偶奇反転させ、前記検定によりパリティエラ−が検出された場合は、前記他の外部へ送信するデ−タについて論理演算して求めたパリティ値を、当該パリティエラ−検出時点の偶奇に保持する時分割多重伝送システム、或いは装置である。
【００８０】
以上のように、この発明の実施の形態４によれば、偶奇反転部５３５，５４５を用いることにより、例えばデータ中継部が故障してデータの値が０固定または１固定となった場合に、故障を見逃すことはなく、前述のこの発明の実施の形態１〜３に比べて、より信頼性の高い故障検出機能を持つ時分割多重伝送方式／装置を実現することができる。
【００８１】
実施の形態５．
前述のこの発明の実施の形態１〜４では、パリティビットは１ビットであるため、故障によりデータ部の値が化けても、パリティエラーとして検出する確率は２分の１であり、故障してもパリティエラーが検出されない恐れがある。この発明の実施の形態５は、前記パリティエラーとして検出する確率を高くするものである。
【００８２】
この発明の実施の形態５は、図２、図６、及び図７におけるパリティ生成部５３に代えて図１１のパリティ生成部５３を使用し、パリティ検定部５４に代えて図１２のパリティ検定部５４を使用するものである。図１１はこの発明の実施の形態５におけるパリティ生成部の一例を示してあり、図１２はこの発明の実施の形態５におけるパリティ検定部の一例を示してある。
【００８３】
この発明の実施の形態５におけるパリティ生成部５３は、その一例として図１１で示すように、図３のパリティ生成部５３において８ビット全体のパリティビットを計算していたのを、ビット毎に１フレーム分のパリティを計算し、セレクタによりフレームの任意の８ビットに多重する。
【００８４】
また、この発明の実施の形態５におけるパリティ検定部５４は、その一例として図１２で示すように、図４のパリティ検定部５４において同じく８ビット全体のパリティビットを再計算していたのを、ビット毎にパリティを再計算し、再計算結果と、フレームに多重された各ビットのパリティとを比較し、論理和５４６にて各ビットのパリティエラーの論理和をとり、警報出力部５５に結果を通知する。
【００８５】
以上のように、この発明の実施の形態５は、外線入出力部の受信部で受信したデータの１フレーム分に対して８ビット単位で排他的論理和を繰り返すことにより得られた８ビットのパリティビットをフレームの任意の８ビットに多重するし、外線入出力部の送信部の前段で１フレーム分のデータのパリティ検定を行い、送信データの誤りを検査する時分割多重伝送システム、或いは装置である。
【００８６】
また、この発明の実施の形態５は、観点を変えれば、各時分割多重伝送装置２Ａ〜２Ｄでの異常の検定が、受信したデ−タの各ビット毎に複数タイムスロット分につき論理演算して求めたパリティ値を前記受信したデ−タのタイムスロットに多重し、前記受信したデ−タの各ビット毎に複数タイムスロット分につき論理演算して求めたパリティ値と、前記受信したデ−タのタイムスロットに多重したパリティ値との一致性を検定することにより行われる時分割多重伝送システム、或いは装置である。
【００８７】
以上のように、この発明の実施の形態５によれば、各ビット毎にパリティの生成・検定を行うことにより、故障時にパリティエラーとして検出しない確率は２５６分の１（２の８乗分の１）であり、前述のこの発明の実施の形態１〜４に比べてより信頼性の高い故障検出機能を持つことができる。また、この発明の実施の形態５では、パリティビットを多重する領域としてタイムスロットを１つ使用するが、前述のこの発明の実施の形態１〜４でも、パリティビットは１つでもタイムスロットを１つ使用するため、伝送効率を低下させることはない。
【００８８】
実施の形態６．
この種の時分割多重伝送装置では、各種端末間の伝送パスを構成させるために、時分割スイッチを設けている。図１３は、時分割スイッチ部の構成図で、この発明の実施の形態６の一例を示す図である。図１３において、６０はライト制御部で、後述の受信中継メモリ６７および後述の分離メモリ６９へのデータ書き込み制御を行う。６５は多重メモリアドレス変換部で、リード制御部６６から出力される信号を予め設定されたアドレスに変換する。６７は受信中継メモリで、系選択回路部８から入力したデータを中継して再度前記系選択回路部８へ出力する迄の間一時的に保持する。６８は多重メモリ部で、端末４から多重／分離バス１２を介して入力した多重データを前記系選択回路部８へ出力するまでの間一時的に保持する。６９は分離メモリ部で、前記系選択回路８から入力したデータを多重／分離バス１２へ出力するまでの間一時的に保持する。
【００８９】
６１０はライト制御部で、前記多重メモリ部６７へのデータ書き込みを制御する。６１１は分離メモリアドレス変換部で、後述のリード制御部６１２から出力される信号を予め設定されたアドレスに変換するためのものである。６１２はリード制御部で、前記受信中継メモリ６７または前記多重メモリ部６８からデータを読み出すときのアドレス信号を生成する他、前記分離メモリ部６８からデータを読み出すときの基準信号等を生成する。６１３は多重分離バス制御部で、多重／分離バス１２の基準信号および制御信号の生成を行う。１０はマイクロプロセッサ部で、マイクロプロセッサバス１１を介して、装置内の各部へデータを設定したり状態を監視するためのものである。
【００９０】
前記多重メモリアドレス変換部６５の構造を図１４に示す。図１４において、アドレスと記載されたもの（０００〜２３３９）は、前記多重メモリアドレス変換部６５のアドレスを示し、タイムスロット番号に対応する。ビットＤ１２は多重／中継ビットである。このＤ１２のビットが、“１”か“０”かにより、図１３のセレクタ部６３に於いて選択する信号が決定され、“１”の場合には前記多重メモリ部６８からのリードデータを選択し、“０”の場合は前記受信中継メモリ部６７からのリードデータを選択するようになっている。Ｄ１〜Ｄ１１には前記多重メモリ部６８のリードアドレス（Ａ１〜Ａ１１）が設定される。
【００９１】
前記分離メモリアドレス変換部６１１は、前記リード制御部６１２から出力される基準信号をもとに、前記分離メモリ部６９のリードアドレスを作成する機能を有しており、ＲＯＭや２ポートメモリで構成される。本例では２ポートメモリを用いており、前記マイクロプロセッサバス１１を介して内部データを設定変更することが可能になっている。
【００９２】
分離メモリアドレス変換部６１１の構造を図１５に示す。図１５において、アドレスと記載されたもの（０００〜２３３９）は前記分離メモリアドレス変換部６１１のアドレスを示し、前記多重／分離バス１２のアドレスに対応する。Ｄ１１〜Ｄ０には前記分離メモリ部６９からのリードアドレス（Ａ１１〜Ａ０）が設定される。
【００９３】
次に図１３、図１４、図１５に基づき動作について説明する。系選択回路部８から入力される信号は連続する複数のタイムスロットからなり、０のデータスロットに始まり２３３９スロットを最後とする２３４０個のタイムスロットが順番に入力され、ライト制御部６０によって制御されて受信中継メモリ部６７および分離メモリ部６９へ順番に書き込まれる。
【００９４】
多重／分離バス１２には各種端末を収容するための端末回線インタフェースが複数接続されており、多重分離バス制御部６１３は、多重／分離バス１２を介して、端末回線インタフェースと入出力をするために必要な基準信号を生成し、多重／分離バス１２から入力される信号も、複数の連続するタイムスロットデータの構造を有する。そしてライト制御部６１０によって制御されて多重メモリ部６８へ順番に書き込まれる。
【００９５】
リード制御部６１２はライト制御部６１０の書き込み動作から少し遅れた位相でリードアドレスを生成する。このリードアドレスに基づいて、受信中継メモリ部６７にすでに書き込まれているデータが順番に読み出される。多重メモリアドレス変換部６５ではリード制御部６６からのリードアドレスにもとづいて多重メモリ６７のリードアドレスを生成し、このリードアドレスによって多重メモリ部６８に既に書き込まれているデータを読み出す。
【００９６】
受信中継メモリ部６７および多重メモリ部６８から読み出されたデータはセレクタ部６３で選択された後、系選択回路部８へ出力される。この時、セレクタ部６３における選択は多重メモリアドレス変換部６５からの多重／中継ビットに基づいて行われる。セレクタ部６３から系選択回路部８へ出力されるデータは、スロット０に始まり、スロット２３３９を最後とする２３４０個のタイムスロットが順番に出力される。以上のように動作しているので、系選択回路部８へ出力するタイムスロットデータは、系選択回路部８から入力したタイムスロットデータと多重／分離バス１２から入力した多重データとの間で１タイムスロットの単位で入替えが行われる。
【００９７】
また、リード制御部６１２はライト制御部６１０の書き込み動作から少し遅れた位相で基準信号を生成する。分離メモリアドレス変換部６１１では、リード制御部６１２からの基準信号に基づいて分離メモリ部６９のリードアドレスを生成する。このリードアドレスに基づいて、分離メモリ部６９にすでに書き込まれているデータが読み出される。分離メモリ部６９から読み出されたデータは多重／分離バス１２へ出力される。多重／分離バス１２へ出力するデータは複数の連続するタイムスロットデータの構造を有している。以上のようにして、多重／分離バス１２へ出力するデータは系選択回路部８から入力したタイムスロットのデータと多重／分離バス１２から入力した多重データとの間で１タイムスロット単位での入替えが可能である。
【００９８】
以上説明したように、多重メモリアドレス変換部６５および分離メモリアドレス変換部６１１に対し予めデータを設定しておくことで、タイムスロットの入替えが可能である。しかし、メモリ素子の不良等により多重メモリアドレス変換部６５および分離メモリアドレス変換部６１１のデータが設定値と変わってしまった場合には、入替えるタイムスロットが不正とり、端末間通信が異常となるばかりでなく、中継データもすべて不正データに変化させてしまうため、ネットワーク全体がダウンしてしまう命的な状態に陥る可能性がある。以下では、このような状態を検出し装置を縮退させる機能について説明する。
【００９９】
多重メモリアドレス変換部６５および分離メモリアドレス変換部６１１への設定は、装置立ち上げ時および端末回線インタフェースの増設や変更が発生した場合にマイクロプロセッサ部１０から行われる。この設定データをマイクロプロセッサ部１０では記憶しておき、多重メモリアドレス変換部６５および分離メモリアドレス変換部６１１の全ての領域の設定データを定周期、例えば１００ミリ秒周期で読み出して、記憶していた設定データと照合する。照合の結果、一定回数連続、例えば３回連続で照合不一致を検出すると、設定値異常と判断する。設定値異常が検出された場合、マイクロプロセッサ部１０は、Ａ系外線入出力部５ＡおよびＢ系外線入出力部５Ｂの双方に対して警報信号を出力するように指示する。そして、Ａ系外線入出力部５ＡおよびＢ系外線入出力部５Ｂは、この警報信号により自装置に隣接する、２つの時分割多重伝送装置に対して警報信号を出力する。この結果、前述のこの発明の実施の形態１の場合と同様にして、警報信号を受信した時分割多重伝送装置はループバック制御状態となり、設定値異常を検出した時分割多重伝送装置をネットワークから切り離す。
【０１００】
以上のように、この発明の実施の形態６は、分離／中継／多重部に搭載されたＣＰＵが、分離／中継／多重部においてタイムスロット毎に多重か中継かを示す情報を格納する記憶素子の内容を定期的に本来設定されるべき内容と照合し、定周期照合で一定回数連続で不一致を検出した場合、当該記憶素子の永久故障と判断し、両系外線入出力部に対して、対向ノードの外線入出力部に警報信号を出力してループバックすることを指示し、当該伝送装置をネットワークから切り離す時分割多重伝送システム、或いは装置である。
【０１０１】
また、この発明の実施の形態６は、観点を変えれば、各時分割多重伝送装置２Ａ〜２Ｄの前記異常が、各時分割多重伝送装置２Ａ〜２Ｄ内の伝送に係る実設定デ−タの検定により検出される時分割多重伝送システム、或いは装置である。
【０１０２】
また、この発明の実施の形態６は、観点を変えれば、各時分割多重伝送装置２Ａ〜２Ｄ内で、受信したデータと前記端末４，４Ａ〜４Ｇからの多重デ−タとの多重の実設定内容が、当初の設定内容と不一致となった場合、隣の時分割多重伝送装置への送信を停止する時分割多重伝送システム、或いは装置である。
【０１０３】
また、この発明の実施の形態６は、観点を変えれば、各時分割多重伝送装置２Ａ〜２Ｄの前記実設定内容と前記当初の設定内容との照合を、時分割多重伝送装置のマイクロプロセッサ部１０等の装置管理ＣＰＵで行う時分割多重伝送システム、或いは装置である。
【０１０４】
以上のようにしてメモリ素子の不良等により多重メモリアドレス変換部６５および分離メモリアドレス変換部６１１のデータが設定値と変わってしまった場合、これを検出して当該時分割多重伝送装置をネットワークから切り離すことが可能となるため、端末４に対して異常なデータを流したり、ネットワーク全体がダウンしてしまうことを防止でき、信頼性の高い時分割多重伝送装置を提供することが可能である。
【０１０５】
実施の形態７．
次に、この発明に係る時分割多重伝送装置の実施の形態７の時分割スイッチの構成の一例を図１６に示す。図１６において、６１４は設定／監視データ通信制御部、６１５は設定／監視データリード／ライト制御部、９は設定／監視データリード／ライト制御部６１５が各部位を設定又は監視するための設定監視バスである。他については、図１３と同じであるので、説明は省略する。
【０１０６】
本実施形態は、ネットワーク上の何れか一つに設けられたネットワーク管理部（図示せず）から遠隔で時分割多重伝送装置の各部への設定および状態監視を行う場合の、多重メモリアドレス変換部６５及び分離メモリアドレス変換部６１１の設定異常検出に関するものである。
【０１０７】
図１６に基づき動作について説明する。ネットワーク管理部（図示せず）は、時分割多重伝送装置の立ち上げ時および端末回線インタフェースの増設や変更が発生した場合、ネットワーク上の全ての時分割多重伝送装置又は特定の時分割多重伝送装置の多重メモリアドレス変換部６５および分離メモリアドレス変換部６１１の設定を行う。この設定によりタイムスロットの入替えが行われる動作については、前述の実施の形態７と同様であるためここでは説明を省略する。
【０１０８】
前記ネットワーク管理部は、ネットワーク上の全ての時分割多重伝送装置の設定データを記憶しておき、時分割多重伝送装置の設定内容を１台づつ収集し、多重メモリアドレス変換部６５および分離メモリアドレス変換部６１１の設定データを照合する。時分割多重伝送装置の設定内容の収集および、多重メモリアドレス変換部６５、分離メモリアドレス変換部６１１の設定データの照合は、全ての時分割多重伝送装置について順番に行い、一巡すると同様の処理を繰り返し行う。この処理の結果、照合不一致を検出した場合、照合不一致となった時分割多重伝送装置の番号を一時的に記憶しておく。そして、同じ時分割多重伝送装置にて例えば３回連続で、照合不一致を検出した場合、設定値異常と判断する。何れかの時分割多重伝送装置で設定値異常が検出された場合、設定値異常が検出された時分割多重伝送装置に隣接する両側２台の時分割多重伝送装置に対してループバック制御を行い、設定値異常を検出した時分割多重伝送装置をネットワークから切り離す。
【０１０９】
以上のように、この発明の実施の形態７は、ネットワークに１台存在するＣＰＵが、各ノードの分離／中継／多重部においてタイムスロット毎に多重か中継かを示す情報を格納する記憶素子の内容を定期的に本来設定されるべき内容と照合し、定周期照合で一定回数連続で不一致を検出した場合、当該記憶素子の永久故障と判断し、当該ノードの両端ノードの両系外線入出力部に対して、当該ノードをネットワークから切り離すように外線入出力部に警報信号を出力してループバックすることを指示する時分割多重伝送システム、或いは装置である。
【０１１０】
また、この発明の実施の形態７は、観点を変えれば、各時分割多重伝送装置２Ａ〜２Ｄの前記実設定内容と前記当初の設定内容との照合を、システム管理ＣＰＵで行う時分割多重伝送システム、或いは装置である。
【０１１１】
以上のようにしてメモリ素子の不良等により多重メモリアドレス変換部６５および分離メモリアドレス変換部６１１のデータが設定値と変わってしまった場合、これを検出して当該時分割多重伝送装置をネットワークから切り離すことが可能となるため、端末に対して異常なデータを流したり、ネットワーク全体がダウンしてしまうことを防止できる。また、設定異常検出をネットワーク管理部から遠隔で行えるように構成したので、ネットワーク全体の保守が容易となる。また、各時分割多重伝送装置に専用のマイクロプロセッサを設けなくとも実現でき、装置を安価にできる。
【０１１２】
実施の形態８．
次に、この発明に係る時分割多重伝送装置の実施の形態８の時分割スイッチの別の構成の一例を図１７に示す。図１７において、６１６はパリティジェネレータで、多重メモリアドレス変換部６５および分離メモリアドレス変換部６１１に設定されるデータに対しパリティを生成する。６１７はパリティ検定部で、多重メモリアドレス変換部６５から読み出されたリードアドレスデータのパリティ検定を行う。６１８はパリティ検定部で、分離メモリアドレス変換部６１１から読み出されたリードアドレスデータのパリティ検定を行う。６１７は設定異常判定部で、前記パリティ検定部６１５、６１６の検定結果から設定異常判定を判断する。他については、図１６と同じであるので、説明は省略する。
【０１１３】
前記多重メモリアドレス変換部６５の構造を図１８に示す。図１８において、ビットＤ１５はパリティビットであり、例えばビットＤ０〜ビットＤ１５の論理１の数が奇数個となる値をパリティビットとする。他のビットは、図１４と同様であるので、説明は省略する。
【０１１４】
前記分離メモリアドレス変換部６１１の構造を図１９に示す。図１９において、ビットＤ１５はパリティビットであり、例えばビットＤ０〜ビットＤ１５の論理１の数が奇数個となる値をパリティビットとする。他のビットは、図１５と同様であるので、説明は省略する。
【０１１５】
多重メモリアドレス変換部６５および分離メモリアドレス変換部６１１に対し予めデータを設定しておくことにより、タイムスロットの入替えを行う動作については、前述のこの発明の実施の形態７と同様であるため、ここでは説明を省略し、多重メモリアドレス変換部６５および分離メモリアドレス変換部６１１の設定異常検出および検出時の動作について説明する。
【０１１６】
多重メモリアドレス変換部６５および分離メモリアドレス変換部６１１に対し設定する場合、パリティジェネレータ部６１６にてパリティビットを生成し、他のビットＤ０〜Ｄ１４とともに、多重メモリアドレス変換部６５および分離メモリアドレス変換部６１１へ書き込まれる。この時生成されたパリティビットはビットＤ１５として書き込まれる。
【０１１７】
次に多重メモリアドレス変換部６５から読み出しが行われる場合、パリティ検定部６１７にてパリティ検定が行われる。同様に分離メモリアドレス変換部６１１から読み出しが行われる場合、パリティ検定部６１８にてパリティ検定が行われる。パリティ検定部６１７および６１８では、例えばビットＤ０〜ビットＤ１５の論理１の数が奇数個でない場合、パリティ検定不良を設定異常判定部６１９へ出力する。設定異常判定部６１９では、パリティ検定部６１７および６１８からのパリティ検定結果を常時入力していて、例えば１フレーム期間中に１つ以上のパリティ検定不良が、連続して３フレーム期間あった場合に設定異常を出力する。ここで、１フレームとは、多重メモリアドレス変換部６５又は分離メモリアドレス変換部６１１のアドレス０〜２３３９までの領域を全て読み出す期間を示す。
【０１１８】
次に、設定異常判定部６１９から出力さる設定異常信号は、Ａ系外線入出力部５ＡおよびＢ系外線入出力部５Ｂの双方に渡されており、Ａ系外線入出力部５ＡおよびＢ系外線入出力部５Ｂは、この設定異常信号により、自装置に隣接する２つの時分割多重伝送装置に対して警報信号を出力する。この結果、前述のこの発明の実施の形態１の場合と同様にして、警報信号を受信した時分割多重伝送装置はループバック制御状態となり、設定値異常を検出した、時分割多重伝送装置をネットワークから切り離す。
【０１１９】
以上のように、この発明の実施の形態８は、分離／中継／多重部においてタイムスロット毎に多重か中継かを示す情報を格納する記憶素子の設定データに対してパリティ等のデータ誤り検定機能を設け、当該記憶素子への設定完了後に、多重か中継かを判断するために設定内容の読み出しを行なった際に、データ誤りを検出すると永久故障と判断し、両系外線入出力部に対して、対向ノードの外線入出力部に警報信号を出力してループバックすることを指示し、当該伝送装置をネットワークから切り離す時分割多重伝送システム、或いは装置である。
【０１２０】
また、この発明の実施の形態８は、観点を変えれば、各時分割多重伝送装置で、受信したデータと前記端末からの多重デ−タとの多重設定のデ−タの誤りを、デ−タ誤り検定機能により検定する時分割多重伝送システム、或いは装置である。
【０１２１】
以上のようにしてメモリ素子の不良等により多重メモリアドレス変換部６５および分離メモリアドレス変換部６１１のデータが設定値と変わってしまった場合、これを検出して当該時分割多重伝送装置をネットワークから切り離すことが可能となるため、端末に対して異常なデータを流したり、ネットワーク全体がダウンしてしまうことを防止できる。また、設定異常検出をハードウェア回路で実現しているため、早期に異常検出することが可能となり、異常期間を最小時間にすることが可能で、より信頼性の高い時分割多重伝送装置を提供することが可能である。
【０１２２】
実施の形態９．
前述のこの発明の実施の形態３のセレクタ６３に入力される中継／多重を示す信号が常に多重側もしくは多重側に固定故障となった場合を検出できるように、同信号が１フレーム間に少なくとも１ビット分はフレームごとに中継／多重を０／１交番させる区間を設ける。そして１フレーム間全て中継／多重であった場合には異常を出力する。中継／多重信号６３５がフレーム内に１ビット分０／１交番出力するようにする。
【０１２３】
図２０に示すように２フレーム間分のカウンタを２つ用意し、１つは中継であればカウンタ６３１をリセット、多重であればカウントアップさせる。もうひとつは多重であればカウンタ６３３をリセット、中継であればカウントアップさせる。カウンタ値が２フレーム分の値になった場合異常検出信号６２６，６２７を有意とし、両系外線入出力部に対して対向ノードの外線入出力部に警報信号を出力してループバックを指示し当該伝送装置をネットワークから切り離す。これにより、中継／多重信号６３５が常時多重を示す固定故障となっても、これを検出して当該ノードをネットワークから離脱させることができるので、高信頼なネットワークを実現できる。
【０１２４】
以上のように、この発明の実施の形態９は、分離／中継／多重部においてタイムスロット毎に多重か中継かを示す信号を１フレーム間には必ず１回は中継を示すようにし、１フレーム間常時多重を示していることをもって永久故障と判断し、両系外線入出力部に対して、対向ノードの外線入出力部に警報信号を出力してループバックすることを指示し、当該伝送装置をネットワークから切り離す時分割多重伝送システム、或いは装置である。
【０１２５】
また、この発明の実施の形態９は、観点を変えれば、１フレ−ム中に中継デ−タと多重デ−タとを多重し、前記フレ−ム中の当該中継デ−タ及び多重デ−タの存否によりデ−タ異常を検出する時分割多重伝送システム、或いは装置である。
【０１２６】
実施の形態１０．
前述のこの発明の実施の形態例１〜５において、装置内の動作クロックは唯一１つであることを前提に説明してきた。時分割多重伝送装置は装置間でどの装置がネットワーク全体のクロック供給源になるかを調停機構を用いて決定し、他の装置はネットワークからの受信データから抽出したクロックに同期して動作する。しかし、ネットワーク内の任意の装置の調停機構に故障が発生し、クロック供給源が唯一に定まらない状況が継続することが考えられる。
【０１２７】
時分割多重伝送装置内のクロックは、図２１に示すように受信系のクロックとそれ以外のクロックに分類され、ネットワークのクロック源が唯一である場合は、両系のクロックは周波数が一致しているが、クロック源が唯一でない状況が継続した場合は、受信系のクロックとそれ以外のクロックには周波数偏差が発生する場合がある。この状況では図２２に示すように、例えば受信中継メモリ部６７への書き込みと読み出しで周波数に偏差が発生し、書き込みと読み出しが追い越すことになり、その追い越しが発生した時点でパリティエラーが検出される。
【０１２８】
そこで、本実施の形態では、ネットワーク内で発生し得る最大の周波数偏差が発生したとした場合に、図２３に示すようにパリティエラーが発生する周期よりもパリティエラーの発生を監視する期間を短くすることにより、装置内に永久故障が発生した場合には一定回数連続してパリティエラ−検出となり永久故障と判断するが、周波数偏差に起因したパリティエラーについては、一定回数連続して検出されないため永久故障として認識されず、ネットワークから誤って切り離されることがなくなる。
【０１２９】
以上のように、この発明の実施の形態１０は、ネットワークの網同期が確立していない状態では、周波数偏差によるデータ誤りが発生するが、周波数偏差の最大値に対してデータ誤り発生間隔の最小値を計算し、その間隔以下にデータ誤り間隔時間を設定することにより、ネットワークの網同期が確立していない状態で誤って伝送装置をネットワークから切り離さない時分割多重伝送システム、或いは装置である。
【０１３０】
また、この発明の実施の形態９は、観点を変えれば、システム内の周波数偏差によって発生するパリティエラ−の発生周期より、パリティエラ−の発生を監視する期間を短くする時分割多重伝送システム、或いは装置である。
【０１３１】
なお、前述のこの発明の実施の形態１〜１０は必要に応じて任意に組合わせることにより、各実施の形態の機能、効果を呈する種々の時分割多重伝送システム、或いは装置を実現できる。
【０１３２】
【発明の効果】
請求項１に記載の時分割多重伝送システムの発明は、複数の時分割多重伝送装置を伝送路によってル−プ接続し各時分割多重伝送装置間でデ−タをル−プ伝送する時分割多重伝送システムにおいて、前記各時分割多重伝送装置を、それぞれ外部からデ−タを受信する受信部と外部へデ−タを送信する送信部とを有した対を成なす外線入出力部で構成され、両隣の時分割多重伝送装置のうちの一方の時分割多重伝送装置に対向する外線入出力部の受信部から受信したデ−タを、両隣の時分割多重伝送装置のうちの他方の時分割多重伝送装置に対向する外線入出力部の送信部から送信する中継機能を有した時分割多重伝送装置とし、前記対を成なす外線入出力部のうちの一方の外線入出力部の受信部から前記対を成なす外線入出力部のうちの他方の外線入出力部の送信部へのデ−タの伝送に係る異常を検出する機能を設け、この異常検出機能により継続的異常が検出されると、前記対を成なす外線入出力部のうちの一方の外線入出力部の受信部から前記対を成なす外線入出力部のうちの他方の外線入出力部の送信部へのデ−タの伝送経路を、前記両隣の時分割多重伝送装置のうちの他方の時分割多重伝送装置に対向する外線入出力部の送信部から、前記両隣の時分割多重伝送装置のうちの一方の時分割多重伝送装置に対向する外線入出力部の送信部へ切替て送信を継続するようにしたので、ル−プ伝送方式の時分割多重伝送システムでありながら、時分割多重伝送装置内において他方の外線入出力部の送信経路で異常が発生しても、もう一方の外線入出力部の送信部からル−プバックしてデ−タの中継伝送を継続でき、しかもこの継続はＨ／Ｗ上の伝送経路切替で行えるので、安価で信頼性の高い時分割多重伝送システムを実現できる効果がある。
【０１３３】
請求項２に記載の時分割多重伝送システムの発明は、請求項１に記載の時分割多重伝送システムにおいて、前記伝送経路を、前記両隣の時分割多重伝送装置のうちの他方の時分割多重伝送装置に対向する外線入出力部の送信部から、前記両隣の時分割多重伝送装置のうちの一方の時分割多重伝送装置に対向する外線入出力部の送信部へ切替て送信を継続している状態における前記時分割多重伝送装置内の伝送に係る異常を検出する機能を設け、この異常検出機能により継続的異常が検出されると、前記伝送経路を切り替えて送信中の時分割多重伝送装置を前記伝送路から切り離すようにしたので、請求項１の発明の効果に加え、異常発生の影響がル−プ伝送路上の他の時分割多重伝送装置に波及したり、システムダウンの可能性を抑制できる効果がある。
【０１３４】
請求項３に記載の時分割多重伝送システムの発明は、請求項２に記載の時分割多重伝送システムにおいて、時分割多重伝送装置が前記伝送路から切り離されると、当該時分割多重伝送装置の両隣の各時分割多重伝送装置の内部伝送路を切替え、前記両隣の時分割多重伝送装置の何れも、前記切り離された自時分割多重伝送装置と反対側の相隣る時分割多重伝送装置とデ−タの送受を行うようにしたので、請求項１及び請求項２の各効果に加え、異常が発生していない他の時分割多重伝送装置間のデ−タ伝送は、各時分割多重伝送装置内の内部伝送経路を切り替えることにより継続でき、信頼性の高い時分割多重伝送システムを実現できる効果がある。
【０１３５】
請求項４に記載の時分割多重伝送システムの発明は、複数の時分割多重伝送装置を伝送路によってル−プ接続し各時分割多重伝送装置間でデ−タをル−プ状に伝送する時分割多重伝送システムにおいて、前記各時分割多重伝送装置を、それぞれ外部からデ−タを受信する受信部と外部へデ−タを送信する送信部とを有した対を成なす外線入出力部で構成され、相隣る一方の時分割多重伝送装置に対向する外線入出力部の受信部から受信したデ−タを相隣る他方の時分割多重伝送装置に対向する外線入出力部の送信部から送信する中継機能を有した時分割多重伝送装置とし、前記相隣る他方の時分割多重伝送装置から当該他方の時分割多重伝送装置の前記伝送路からの切り離し及び異常の少なくとも一方の情報を得ることにより、自時分割多重伝送装置における送信経路を前記相隣る他方の時分割多重伝送装置に対向する外線入出力部の送信部から前記相隣る一方の時分割多重伝送装置に対向する外線入出力部の送信部へ切替て送信を継続するようにしたので、ル−プ伝送路上の隣の時分割多重伝送装置の異常に影響されることなく、異常が発生してない側の隣の時分割多重伝送装置とデ−タの送受ができ、信頼性の高い時分割多重伝送システムを実現できる効果がある。
【０１３６】
請求項５に記載の時分割多重伝送システムの発明は、請求項１〜４の何れか一に記載の時分割多重伝送システムにおいて、各時分割多重伝送装置が、前記ル−プ伝送路と端末との接続機能を有し、前記各端末と前記各時分割多重伝送装置と前記ル−プ伝送路とによるネットワ−クが構成されているものであるので、各端末とのデ−タ伝送を、信頼性の高い時分割多重伝送システムで行うことができる効果がある。
【０１３７】
請求項６に記載の時分割多重伝送システムの発明は、請求項１〜５の何れか一に記載の時分割多重伝送システムにおいて、各時分割多重伝送装置の前記異常が、各時分割多重伝送装置内の伝送経路におけるパリティ検定により検出されるようにしたので、時分割多重伝送システムの高い信頼性を維持しながら、時分割多重伝送装置内の伝送経路の異常を検出できる効果がある。
【０１３８】
請求項７に記載の時分割多重伝送システムの発明は、請求項１〜６の何れか一に記載の時分割多重伝送システムにおいて、各時分割多重伝送装置の前記異常が、各時分割多重伝送装置内の伝送に係る実設定デ−タの検定により検出されるようにしたので、時分割多重伝送システムの高い信頼性を維持しながら、時分割多重伝送装置内の伝送経路の異常を検出できるだけでなく、時分割多重伝送装置内の伝送に係る各種設定の異常も検出でき、更に信頼性の高い時分割多重伝送システムを実現できる効果がある。
【０１３９】
請求項８に記載の時分割多重伝送システムの発明は、請求項１〜７の何れか一に記載の時分割多重伝送システムにおいて、各時分割多重伝送装置での異常の検定が、受信したデ−タの複数タイムスロット分の各タイムスロットのパリティ値を論理演算して求めたパリティ値を前記受信したデ−タのタイムスロットに多重し、前記他の外部へ送信するデ−タの複数タイムスロット分の各タイムスロットのパリティ値を論理演算して求めたパリティ値と、前記受信したデ−タのタイムスロットに多重したパリティ値との一致性を検定することにより行われるようにしたので、各時分割多重伝送装置でのパリティチェックのＨ／Ｗ構成が簡単で安価となり、従って、更に安価で信頼性の高い時分割多重伝送システムを実現できる効果がある。
【０１４０】
請求項９に記載の時分割多重伝送システムの発明は、請求項１〜８の何れか一に記載の時分割多重伝送システムにおいて、各時分割多重伝送装置での異常の検定が、受信したデ−タの各ビット毎に複数タイムスロット分につき論理演算して求めたパリティ値を前記受信したデ−タのタイムスロットに多重し、前記受信したデ−タの各ビット毎に複数タイムスロット分につき論理演算して求めたパリティ値と、前記受信したデ−タのタイムスロットに多重したパリティ値との一致性を検定することにより行われるようにしたので、各時分割多重伝送装置内の伝送経路の異常検出機能が向上し、更に信頼性の高い時分割多重伝送システムを実現できる効果がある。
【０１４１】
請求項１０に記載の時分割多重伝送システムの発明は、請求項５〜請求項９の何れか一に記載の時分割多重伝送システムにおいて、各時分割多重伝送装置内で、前記受信したデータ及びこの受信したデータに多重する前記端末からの多重データの各パリティ偶奇を比較し、偶奇が異なるごとに、前記受信したデ−タのタイムスロットに多重のパリティ値の偶奇を反転させるようにしたので、各時分割多重伝送装置内で、中継デ−タに他のデ−タを多重しても、時分割多重伝送装置内の伝送経路のパリティチェックを行え、各時分割多重伝送装置内で、中継デ−タに他のデ−タを多重する場合であっても、信頼性の高い時分割多重伝送システムを実現できる効果がある。
【０１４２】
請求項１１に記載の時分割多重伝送システムの発明は、請求項５〜１０に記載の時分割多重伝送装置において、各時分割多重伝送装置内で、受信したデ−タについて論理演算して求めたパリティ値を前記複数タイムスロット毎に偶奇反転させ、前記他の外部へ送信するデ−タについて論理演算して求めたパリティ値を前記検定前に前記複数タイムスロット毎に偶奇反転させ、前記検定によりパリティエラ−が検出されなかった場合は引き続き前記他の外部へ送信するデ−タについて論理演算して求めたパリティ値を前記検定前に前記複数タイムスロット毎に偶奇反転させ、前記検定によりパリティエラ−が検出された場合は、前記他の外部へ送信するデ−タについて論理演算して求めたパリティ値を、当該パリティエラ−検出時点の偶奇に保持するようにしたので、パリティ値を多重するデ−タが、各時分割多重伝送装置内のデ−タ中継部の故障等によって、０固定、或いは１固定のデ−タ異常となっても、パリティチェックが行われ、信頼性の高い時分割多重伝送システムを実現できる効果がある。
【０１４３】
請求項１２に記載の時分割多重伝送システムの発明は、請求項５〜請求項１１の何れか一に記載の時分割多重伝送システムにおいて、各時分割多重伝送装置で、受信したデータと前記端末からの多重デ−タとの多重設定のデ−タの誤りを、デ−タ誤り検定機能により検定するようにしたので、受信したデータに端末からのデ−タを多重するようにしたことによって生じる多重設定のデ−タ誤りを検出でき、受信したデータに端末からのデ−タを多重するようにしても信頼性の高い時分割多重伝送システムを実現できる効果がある。
【０１４４】
請求項１３に記載の時分割多重伝送システムの発明は、請求項６〜請求項１２の何れか一に記載の時分割多重伝送システムにおいて、システム内の周波数偏差によって発生するパリティエラ−の発生周期より、パリティエラ−の発生を監視する期間を短くしたので、複数の時分割多重伝送装置を伝送路によってル−プ接続し各時分割多重伝送装置間でデ−タをル−プ伝送する時分割多重伝送システムであるが故に時分割多重伝送装置内に生じる周波数偏差が発生しても、パリティエラ−が継続的に発生することを防止でき、従って、時分割多重伝送システムの誤動作を防止でき、信頼性の高い時分割多重伝送システムを実現できる効果がある。
【０１４５】
請求項１４に記載の時分割多重伝送システムの発明は、請求項５〜請求項１３の何れか一に記載の時分割多重伝送システムにおいて、１フレ−ム中に中継デ−タと多重デ−タとを多重し、前記フレ−ム中の当該中継デ−タ及び多重デ−タの存否によりデ−タ異常を検出するようにしたので、中継デ−タに、他のデ−タを多重する場合であっても、多重異常を検出でき、信頼性の高い時分割多重伝送システムを実現できる効果がある。
【０１４６】
請求項１５に記載の時分割多重伝送システムの発明は、請求項５〜請求項１４の何れか一に記載の時分割多重伝送システムにおいて、各時分割多重伝送装置内で、受信したデータと前記端末からの多重デ−タとの多重の実設定内容が、当初の設定内容と不一致となった場合、隣の時分割多重伝送装置への送信を停止するようにしたので、中継デ−タに、他のデ−タを多重する場合であっても、多重設定の設定内容異常の発生によるル−プ伝送路上の他の時分割多重伝送装置への影響波及やシステムダウンを防止でき、信頼性の高い時分割多重伝送システムを実現できる効果がある。
【０１４７】
請求項１６に記載の時分割多重伝送システムの発明は、請求項１５に記載の時分割多重伝送システムにおいて、各時分割多重伝送装置の前記実設定内容と前記当初の設定内容との照合を、時分割多重伝送装置の装置管理ＣＰＵで行うようにしたので、各時分割多重伝送装置内で設定内容の異常を検出して、当該設定内容の異常が、ル−プ伝送路上の他の時分割多重伝送装置への影響波及やシステムダウンを生起しないようにでき、信頼性の高い時分割多重伝送システムを実現できる効果がある。
【０１４８】
請求項１７に記載の時分割多重伝送システムの発明は、請求項１５に記載の時分割多重伝送システムにおいて、各時分割多重伝送装置の前記実設定内容と前記当初の設定内容との照合を、システム管理ＣＰＵで行うようにしたので、システム全体で一元的に各時分割多重伝送装置の設定内容の保守が可能となり、各時分割多重伝送装置に専用のマイクリプロセッサを設ける必要も無く、従って、保守コストが安く、信頼性の高い時分割多重伝送システムを実現できる効果がある。
【０１４９】
請求項１８に記載の時分割多重伝送システムの発明は、請求項１７に記載の時分割多重伝送システムにおいて、前記異常検出時の前記各時分割多重伝送装置内の伝送路切替の指令を、前記システム管理ＣＰＵが各時分割多重伝送装置に対して行うようにしたので、システム全体で一元的に、各時分割多重伝送装置の設定内容の保守や内部伝送経路の切替、各時分割多重伝送装置の切り離しが可能となり、各時分割多重伝送装置に専用のマイクリプロセッサを設ける必要も無く、従って、保守コストやシステム構成コストが安く、信頼性の高い時分割多重伝送システムを実現できる効果がある。
ものである。
【０１５０】
請求項１９に記載の時分割多重伝送装置の発明は、外部から受信したデ−タを他の外部へ送信する中継機能を有した時分割多重伝送装置において、前記外部から受信したデ−タの複数タイムスロット分の各タイムスロットのパリティ値を論理演算して求めたパリティ値を前記受信したデ−タのタイムスロットに多重し、前記他の外部へ送信するデ−タの複数タイムスロット分の各タイムスロットのパリティ値を論理演算して求めたパリティ値と、前記受信したデ−タのタイムスロットに多重したパリティ値との一致性を検定するようにしたので、パリティチェックのＨ／Ｗ構成が簡単で安価となり、従って、安価で信頼性の高い時分割多重伝送装置を実現できる効果がある。
【０１５１】
請求項２０に記載の時分割多重伝送装置の発明は、外部から受信したデ−タを他の外部へ送信する中継機能を有した時分割多重伝送装置において、前記外部から受信したデ−タの各ビット毎に複数タイムスロット分につき論理演算して求めたパリティ値を前記受信したデ−タのタイムスロットに多重し、前記受信したデ−タの各ビット毎に複数タイムスロット分につき論理演算して求めたパリティ値と、前記受信したデ−タのタイムスロットに多重したパリティ値との一致性を検定するようにしたので、時分割多重伝送装置内の伝送経路の異常検出機能が向上し、信頼性の高い時分割多重伝送システムを実現できる効果がある。
【０１５２】
請求項２１に記載の時分割多重伝送装置の発明は、請求項１９及び請求項２０の何れかに一に記載の時分割多重伝送装置において、時分割多重伝送装置を、それぞれ外部からデ−タを受信する受信部と外部へデ−タを送信する送信部とを有した対を成なす外線入出力部を有し、一方の外線入出力部の受信部から受信したデ−タを他方の外線入出力部の送信部から他の外部へ送信する中継機能を有した時分割多重伝送装置とし、前記パリティ値との不一致が所定回数継続的に発生した場合、前記他の外部への送信を行う送信部を前記他方の外線入出力部の送信部から前記一方の外線入出力部の送信部へ切替て送信を継続するようにしたので、時分割多重伝送装置内において他方の外線入出力部の送信経路で異常が発生しても、もう一方の外線入出力部の送信部からル−プバックしてデ−タの中継伝送を継続でき、しかもこの継続はＨ／Ｗ上の伝送経路切替で行えるので、安価で信頼性の高い時分割多重伝送装置を実現できる効果がある。
【０１５３】
請求項２２に記載の時分割多重伝送装置の発明は、請求項２１に記載の時分割多重伝送装置において、前記不一致が所定回数継続的に発生した場合、当該不一致が所定回数継続的に発生したことを前記一方の外線入出力部に知らせ、各外線入出力部から各々の対向ノ−ドに警報信号を出力するようにしたので、時分割多重伝送装置内での内部伝送経路の切替による非異常伝送経路での継続運転を早くでき、信頼性の高い時分割多重伝送装置を実現できる効果がある。
ものである。
【０１５４】
請求項２３に記載の時分割多重伝送装置の発明は、請求項１９〜２２の何れか一に記載の時分割多重伝送装置において、前記外部から受信したデータ及びこの受信したデータに多重する多重データの各パリティ偶奇を比較し、偶奇が異なるごとに、前記受信したデ−タのタイムスロットに多重のパリティ値の偶奇を反転させるようにしたので、中継デ−タに他のデ−タを多重しても、時分割多重伝送装置内の伝送経路のパリティチェックを行え、時分割多重伝送装置内で、中継デ−タに他のデ−タを多重する場合であっても、信頼性の高い時分割多重伝送装置を実現できる効果がある。
【０１５５】
請求項２４に記載の時分割多重伝送装置の発明は、請求項１９〜２２の何れか一に記載の時分割多重伝送装置おいて、前記外部から受信したデータとこの受信したデータに多重する多重デ−タとの多重の実設定内容が、当初の設定内容と不一致となった場合、少なくとも外部への送信を停止するようにしたので、中継デ−タに、他のデ−タを多重する場合であっても、多重設定の設定内容異常の発生による他の時分割多重伝送装置等の外部への影響波及を防止でき、信頼性の高い時分割多重伝送装置を実現できる効果がある。
【０１５６】
請求項２５に記載の時分割多重伝送装置の発明は、請求項１９〜２４に記載の時分割多重伝送装置において、前記外部から受信したデ−タについて論理演算して求めたパリティ値を前記複数タイムスロット毎に偶奇反転させ、前記他の外部へ送信するデ−タについて論理演算して求めたパリティ値を前記検定前に前記複数タイムスロット毎に偶奇反転させ、前記検定によりパリティエラ−が検出されなかった場合は引き続き前記他の外部へ送信するデ−タについて論理演算して求めたパリティ値を前記検定前に前記複数タイムスロット毎に偶奇反転させ、前記検定によりパリティエラ−が検出された場合は、前記他の外部へ送信するデ−タについて論理演算して求めたパリティ値を、当該パリティエラ−検出時点の偶奇に保持するようにしたので、パリティ値を多重するデ−タが、各時分割多重伝送装置内のデ−タ中継部の故障等によって、０固定、或いは１固定のデ−タ異常となっても、パリティチェックが行われ、信頼性の高い時分割多重伝送装置を実現できる効果がある。
【０１５７】
請求項２６に記載の時分割多重伝送装置の発明は、請求項１９〜請求項２５の何れか一に記載の時分割多重伝送装置において、受信したデータと前記端末からの多重デ−タとの多重設定のデ−タの誤りを、デ−タ誤り検定機能により検定するようにしたので、受信したデータに端末からのデ−タを多重するようにしたことによって生じる多重設定のデ−タ誤りを検出でき、受信したデータに端末からのデ−タを多重するようにしても信頼性の高い時分割多重伝送装置を実現できる効果がある。
【０１５８】
請求項２７に記載の時分割多重伝送装置の発明は、請求項１９〜請求項２６の何れか一に記載の時分割多重伝送装置において、装置内の周波数偏差によって発生するパリティエラ−の発生周期より、パリティエラ−の発生を監視する期間を短くしたので、時分割多重伝送装置内に生じる周波数偏差が発生しても、パリティエラ−が継続的に発生することを防止でき、従って、時分割多重伝送装置の誤動作を防止でき、信頼性の高い時分割多重伝送装置を実現できる効果がある。
【０１５９】
請求項２８に記載の時分割多重伝送装置の発明は、請求項１９〜請求項２７の何れか一に記載の時分割多重伝送装置において、１フレ−ム中に中継デ−タと多重デ−タとを多重し、前記フレ−ム中の当該中継デ−タ及び多重デ−タの存否によりデ−タ異常を検出するようにしたので、中継デ−タに他のデ−タを多重する場合であっても、多重異常を検出でき、信頼性の高い時分割多重伝送装置を実現できる効果がある。
【０１６０】
請求項２９に記載の時分割多重伝送装置の発明は、請求項１９〜請求項２８の何れか一に記載の時分割多重伝送装置において、受信したデータと前記前記端末からの多重デ−タとの多重の実設定内容が、当初の設定内容と不一致となった場合、隣の時分割多重伝送装置への送信を停止するようにしたので、中継デ−タに、他のデ−タを多重する場合であっても、多重設定の設定内容異常の発生による他の時分割多重伝送装置等の外部への影響波及を防止でき、信頼性の高い時分割多重伝送装置を実現できる効果がある。
【０１６１】
請求項３０に記載の時分割多重伝送装置の発明は、請求項２９に記載の時分割多重伝送装置において、前記実設定内容と前記当初の設定内容との照合を、時分割多重伝送装置の装置管理ＣＰＵで行うようにしたので、時分割多重伝送装置内で設定内容の異常を検出して、当該設定内容の異常が、他の時分割多重伝送装置等の外部への影響波及生起しないようにでき、信頼性の高い時分割多重伝送装置を実現できる効果がある。
【図面の簡単な説明】
【図１】この発明の実施の形態１によるデータ伝送システムの構成を示す図である。
【図２】この発明の実施の形態１による時分割多重伝送装置の構成を示す図である。
【図３】この発明の実施の形態１によるパリティ生成部の構成を示す図である。
【図４】この発明の実施の形態１によるパリティ検定部の構成を示す図である。
【図５】この発明の実施の形態１によるフレーム構成を示す図である。
【図６】この発明の実施の形態２による時分割多重伝送装置の構成を示す図である。
【図７】この発明の実施の形態３による時分割多重伝送装置の構成を示す図である。
【図８】この発明の実施の形態３によるパリティ再計算部の構成を示す図である。
【図９】この発明の実施の形態４によるパリティ生成部の構成を示す図である。
【図１０】この発明の実施の形態４によるパリティ検定部の構成を示す図である。
【図１１】この発明の実施の形態５によるパリティ生成部の構成を示す図である。
【図１２】この発明の実施の形態５によるパリティ検定部の構成を示す図である。
【図１３】この発明の実施の形態６による時分割多重伝送装置の構成を示す図である。
【図１４】この発明の実施の形態６による多重メモリアドレス変換部の構造を示す図である。
【図１５】この発明の実施の形態６による分離メモリアドレス変換部の構造を示す図である。
【図１６】この発明の実施の形態７による時分割多重伝送装置の構造を示す図である。
【図１７】この発明の実施の形態８による時分割多重伝送装置の構造を示す図である。
【図１８】この発明の実施の形態８による多重メモリアドレス変換部の構造を示す図である。
【図１９】この発明の実施の形態８による分離メモリアドレス変換部の構造を示す図である。
【図２０】この発明の実施の形態９によるセレクタ部の中継／多重信号固定故障検出部の構造を示す図である。
【図２１】この発明の実施の形態１０による時分割多重伝送装置の受信クロック同期領域を示す図である。
【図２２】この発明の実施の形態１０において周波数偏差が引き起こすデータ誤りの発生過程を示す図である。
【図２３】この発明の実施の形態１０においてパリティエラーの発生を監視する期間を算出するための不等式を示す図である。
【図２４】従来の装置内監視装置を示すブロック図である。
【図２５】従来の装置内監視装置の動作を示すタイミングチャートの一例を示す図である。
【符号の説明】
１　ル−プ伝送路、　　　　　　　２Ａ〜２Ｄ　時分割多重伝送装置、
４，４Ａ〜４Ｇ　端末、　　　　　　５Ａ，５Ｂ　外線入出力部、
５１ａ，５１ｂ　受信部、　　　　　５２ａ，５２ｂ　送信部、
５３ａ，５３ｂ　パリティ生成部、
５４ａ，５４ｂ，６１７，６１８　パリティ検定部、
５５ａ，５５ｂ　警報出力部、　　　６　デ−タ中継／分離部、
６２　デ−タ中継部、　　　　　　　８　系選択回路部、
５３１，５４１　パリティ演算部、
５３２，５３３，５４２，５４３　論理演算部、
５３５，５４５　偶奇反転部、　　　６４１　中継デ−タパリティ演算部、
６４２　多重デ−タパリティ演算部、
１０　マイクロプロセッサ部（装置内ＣＰＵ）。
【図１】
2004064351.tif 000003
【図２】
2004064351.tif 000004
【図３】
2004064351.tif 000005
【図４】
2004064351.tif 000006
【図５】
2004064351.tif 000007
【図６】
2004064351.tif 000008
【図７】
2004064351.tif 000009
【図８】
2004064351.tif 000010
【図９】
2004064351.tif 000011
【図１０】
2004064351.tif 000012
【図１１】
2004064351.tif 000013
【図１２】
2004064351.tif 000014
【図１３】
2004064351.tif 000015
【図１４】
2004064351.tif 000016
【図１５】
2004064351.tif 000017
【図１６】
2004064351.tif 000018
【図１７】
2004064351.tif 000019
【図１８】
2004064351.tif 000020
【図１９】
2004064351.tif 000021
【図２０】
2004064351.tif 000022
【図２１】
2004064351.tif 000023
【図２２】
2004064351.tif 000024
【図２３】
2004064351.tif 000025
【図２４】
2004064351.tif 000026
【図２５】
2004064351.tif 000027